(57)【要約】【課題】共演動画サービスの利便性を向上させると共にシステムに係るポイントの消費を促進する動画情報配信システムを提供する。【解決手段】投稿受付制御手段１５８により受け付けられる複数の動画情報を組み合わせて共演動画情報を編集して記憶させる共演動画編集制御手段１６８と、記憶された動画情報の投稿者に属する所定のポイントの消費を条件として、その動画情報を共演動画情報の組み合わせに係る親として選択可能な親動画情報として設定する親動画情報設定手段１７０とを、備え、親動画情報設定手段１７０は、動画データベース６６に記憶された動画情報の投稿者ではない第三者に属する所定のポイントの消費を条件として、その動画情報を前記親動画情報として設定し得るものであることから、動画投稿者、第三者双方の利便性を図ることができることに加え、無為に貯め込まれているポイントの有効利用を実現することができる。【選択図】図５
2014174733.tif 000002
【特許請求の範囲】
【請求項１】
所定の通信回線を介して複数の通信端末装置に対する動画情報の配信を行う動画情報配信システムであって、
前記通信端末装置から投稿された動画情報を記憶する動画データベースと、
前記通信回線を介して前記通信端末装置から、予め定められた複数の楽曲データの何れかに対応する動画情報の投稿を受け付け、該投稿された動画情報を対応する楽曲データと関連付けて前記動画データベースに記憶させる投稿受付制御手段と、
該投稿受付制御手段により受け付けられる、共通の楽曲データに関連付けられた複数の動画情報を組み合わせて共演動画情報を編集し、該編集された共演動画情報を該共通の楽曲データと関連付けて前記動画データベースに記憶させる共演動画編集制御手段と、
前記動画データベースに記憶された動画情報の投稿者に属する所定のポイントの消費を条件として、該動画情報を前記共演動画情報の組み合わせに係る親として選択可能な親動画情報として設定する親動画情報設定手段と
を、備え、
前記親動画情報設定手段は、前記動画データベースに記憶された動画情報の投稿者ではない第三者に属する所定のポイントの消費を条件として、該動画情報を前記親動画情報として設定し得るものである
ことを特徴とする動画情報配信システム。
【請求項２】
音声入力装置及び撮像装置を有し、多数の楽曲データのうちから選択される楽曲データに対応する演奏曲を出力させるのに併行して前記音声入力装置により入力される音声を増幅して出力させるカラオケ装置を前記通信端末装置として備え、
前記共演動画編集制御手段は、前記カラオケ装置により出力される前記親動画情報と、該カラオケ装置による該親動画情報の出力と併行して前記撮像装置により撮影された映像情報及び前記音声入力装置により入力された音声情報に対応する動画情報とを、組み合わせて前記共演動画情報を編集するものであり、
前記親動画情報設定手段は、前記動画データベースに記憶された動画情報それぞれに関して、前記カラオケ装置による前記親動画情報としての出力の可否を設定するものである
請求項１に記載の動画情報配信システム。
【請求項３】
前記動画データベースに記憶された動画情報に関して、該動画情報の投稿者ではない第三者に属する所定のポイントの消費を条件として該動画情報を前記親動画情報として設定することの許可乃至不許可を、前記動画情報の投稿者が設定し得るものである
請求項１又は２に記載の動画情報配信システム。
【請求項４】
前記親動画情報設定手段は、前記動画データベースに記憶された、投稿者により前記親動画情報として設定することが不許可と設定された動画情報に対して、該動画情報の投稿者ではない第三者から前記親動画情報として設定することの許可を求める依頼があった場合には、前記投稿者に対してその旨の通知を行うものである
請求項３に記載の動画情報配信システム。
【請求項５】
前記親動画情報設定手段は、前記動画情報の投稿者ではない第三者から該動画情報を前記親動画情報として設定することの許可を求める依頼があり、前記投稿者に対してその旨の通知を行った場合において、該投稿者が前記動画情報に関して前記第三者による前記親動画情報としての設定を許可した場合には、前記依頼を行った前記第三者に対してその旨の通知を行うものである
請求項４に記載の動画情報配信システム。
【請求項６】
前記動画データベースに記憶された、所定の投稿者に係る複数の動画情報それぞれに関して、該動画情報の投稿者ではない第三者に属する所定のポイントの消費を条件として該動画情報を前記親動画情報として設定することの許可乃至不許可を、前記動画情報の投稿者が設定し得るものである
請求項３から５の何れか１項に記載の動画情報配信システム。
【請求項７】
前記親動画情報設定手段は、前記動画データベースに記憶された動画情報の投稿者ではない第三者に属する所定のポイントが消費されて、該動画情報が前記親動画情報として設定された場合には、該動画情報の投稿者に対してその旨の通知を行うものである
請求項１から６の何れか１項に記載の動画情報配信システム。
【請求項８】
前記共演動画編集制御手段は、前記動画データベースに記憶された動画情報の投稿者ではない第三者に属する所定のポイントが消費されて、該動画情報が前記親動画情報として設定された場合には、該第三者に対しては該動画情報を前記共演動画情報の組み合わせに係る親として選択可能とするが、前記第三者以外の利用者に対しては前記動画情報を前記共演動画情報の組み合わせに係る親として選択不能とするものである
請求項１から７の何れか１項に記載の動画情報配信システム。
【請求項９】
前記動画情報配信システムの各利用者に対して、前記動画データベースに記憶された動画情報のうち、前記親動画情報として設定されていない動画情報であって前記利用者にお薦めの動画情報を、該利用者を前記第三者とする前記親動画情報としての設定候補として表示させる設定候補表示制御手段を備えたものである
請求項１から８の何れか１項に記載の動画情報配信システム。
【発明の詳細な説明】
【技術分野】
【０００１】
本発明は、所定の通信回線を介して複数の通信端末装置に対する動画情報の配信を行う動画情報配信システムに関し、特に、共演動画サービスの利便性を向上させると共にシステムに係るポイントの消費を促進するための改良に関する。
【背景技術】
【０００２】
所定の通信回線を介して複数の通信端末装置に対する動画情報の配信を行う動画情報配信システムが知られており、近年における通信技術の向上に伴いコンテンツビジネスの中核として更なる発展が期待されている。そのような動画情報配信システムにおいては、通常、所謂動画投稿サイトにおいて所定の通信端末装置から投稿（アップロード）された複数の動画情報が所定のデータベースに記憶され、任意の通信端末装置によりその動画投稿サイトを介してのアクセスが可能とされる。それにより、前記所定の通信端末装置により投稿された動画情報が、任意の通信端末装置により閲覧可能とされる。
【０００３】
前記動画情報配信システムの一態様として、本出願人は、カラオケ装置を通信端末装置として動画情報配信システムに組み込み、そのカラオケ装置による所定の演奏曲の出力に際して撮像装置により撮影された映像情報及び音声入力装置により入力された音声情報の投稿を受け付けて閲覧可能とする技術を発案し、実用化している。また、この技術に関して、共通の演奏曲に関連付けられた複数の動画情報を組み合わせて共演動画情報を編集し、前記カラオケ装置のみならずパーソナルコンピュータ等の通信端末装置により閲覧可能とする共演動画（コラボ動画）のサービスを展開している。例えば、特許文献１に記載されたカラオケシステムがその一例である。
【先行技術文献】
【特許文献】
【０００４】
【特許文献１】特開２０１１−０５９６１９号公報
【発明の概要】
【発明が解決しようとする課題】
【０００５】
しかし、前記従来の技術においては、前記動画データベースに記憶された動画情報の投稿者に属する所定のポイントの消費を条件として、その動画情報が前記共演動画情報の組み合わせに係る親として選択可能な親動画情報として設定されるため、動画情報の投稿者が十分なポイントを有していない場合等においては、その動画情報を親動画情報として設定できなかった。一方、所定の投稿者の投稿した動画情報を親として共演動画を作成したい利用者の側では、十分なポイントを有している場合であっても希望する共演動画を作成することができなかった。これらの問題に加え、動画情報配信サービスを提供する側では、システムに係るポイントの消費を図りたいという狙いがあった。すなわち、共演動画サービスの利便性を向上させると共にシステムに係るポイントの消費を促進する動画情報配信システムは、未だ開発されていないのが現状である。斯かる課題は、動画情報配信システムの機能向上を意図して本発明者が鋭意研究を継続する過程において新たに見出したものである。
【０００６】
本発明は、以上の事情を背景として為されたものであり、その目的とするところは、共演動画サービスの利便性を向上させると共にシステムに係るポイントの消費を促進する動画情報配信システムを提供することにある。
【課題を解決するための手段】
【０００７】
斯かる目的を達成するために、本発明の要旨とするところは、所定の通信回線を介して複数の通信端末装置に対する動画情報の配信を行う動画情報配信システムであって、前記通信端末装置から投稿された動画情報を記憶する動画データベースと、前記通信回線を介して前記通信端末装置から、予め定められた複数の楽曲データの何れかに対応する動画情報の投稿を受け付け、その投稿された動画情報を対応する楽曲データと関連付けて前記動画データベースに記憶させる投稿受付制御手段と、その投稿受付制御手段により受け付けられる、共通の楽曲データに関連付けられた複数の動画情報を組み合わせて共演動画情報を編集し、その編集された共演動画情報をその共通の楽曲データと関連付けて前記動画データベースに記憶させる共演動画編集制御手段と、前記動画データベースに記憶された動画情報の投稿者に属する所定のポイントの消費を条件として、その動画情報を前記共演動画情報の組み合わせに係る親として選択可能な親動画情報として設定する親動画情報設定手段とを、備え、前記親動画情報設定手段は、前記動画データベースに記憶された動画情報の投稿者ではない第三者に属する所定のポイントの消費を条件として、その動画情報を前記親動画情報として設定し得ることを特徴とするものである。
【発明の効果】
【０００８】
このようにすれば、前記通信端末装置から投稿された動画情報を記憶する動画データベースと、前記通信回線を介して前記通信端末装置から、予め定められた複数の楽曲データの何れかに対応する動画情報の投稿を受け付け、その投稿された動画情報を対応する楽曲データと関連付けて前記動画データベースに記憶させる投稿受付制御手段と、その投稿受付制御手段により受け付けられる、共通の楽曲データに関連付けられた複数の動画情報を組み合わせて共演動画情報を編集し、その編集された共演動画情報をその共通の楽曲データと関連付けて前記動画データベースに記憶させる共演動画編集制御手段と、前記動画データベースに記憶された動画情報の投稿者に属する所定のポイントの消費を条件として、その動画情報を前記共演動画情報の組み合わせに係る親として選択可能な親動画情報として設定する親動画情報設定手段とを、備え、前記親動画情報設定手段は、前記動画データベースに記憶された動画情報の投稿者ではない第三者に属する所定のポイントの消費を条件として、その動画情報を前記親動画情報として設定し得るものであることから、動画情報の投稿者ではない第三者のポイントを消費することによってもその動画情報を共演動画情報の組み合わせに係る親として選択可能とすることができ、動画投稿者、第三者双方の利便性を図ることができることに加え、無為に貯め込まれているポイントの有効利用を実現することができる。すなわち、共演動画サービスの利便性を向上させると共にシステムに係るポイントの消費を促進する動画情報配信システムを提供することができる。
【０００９】
ここで、好適には、音声入力装置及び撮像装置を有し、多数の楽曲データのうちから選択される楽曲データに対応する演奏曲を出力させるのに併行して前記音声入力装置により入力される音声を増幅して出力させるカラオケ装置を前記通信端末装置として備え、前記共演動画編集制御手段は、前記カラオケ装置により出力される前記親動画情報と、そのカラオケ装置によるその親動画情報の出力と併行して前記撮像装置により撮影された映像情報及び前記音声入力装置により入力された音声情報に対応する動画情報とを、組み合わせて前記共演動画情報を編集するものであり、前記親動画情報設定手段は、前記動画データベースに記憶された動画情報それぞれに関して、前記カラオケ装置による前記親動画情報としての出力の可否を設定するものである。このようにすれば、カラオケ装置を用いた実用的な共演動画サービスにおいて、その利便性を向上させると共にシステムに係るポイントの消費を促進することができる。
【００１０】
また、好適には、前記動画データベースに記憶された動画情報に関して、その動画情報の投稿者ではない第三者に属する所定のポイントの消費を条件としてその動画情報を前記親動画情報として設定することの許可乃至不許可を、前記動画情報の投稿者が設定し得るものである。このようにすれば、自分の投稿した動画が不本意に前記共演動画情報の組み合わせに係る親として選択可能とされることを好適に防止できる。
【００１１】
また、好適には、前記親動画情報設定手段は、前記動画データベースに記憶された、投稿者により前記親動画情報として設定することが不許可と設定された動画情報に対して、その動画情報の投稿者ではない第三者から前記親動画情報として設定することの許可を求める依頼があった場合には、前記投稿者に対してその旨の通知を行うものである。このようにすれば、自分の投稿した動画を前記共演動画情報の組み合わせに係る親として選択可能とすることを求める第三者が存在することを、投稿者に対して簡便に通知することができる。
【００１２】
また、好適には、前記親動画情報設定手段は、前記動画情報の投稿者ではない第三者からその動画情報を前記親動画情報として設定することの許可を求める依頼があり、前記投稿者に対してその旨の通知を行った場合において、その投稿者が前記動画情報に関して前記第三者による前記親動画情報としての設定を許可した場合には、前記依頼を行った前記第三者に対してその旨の通知を行うものである。このようにすれば、依頼に係る動画情報に関して投稿者により前記親動画情報として設定することが許可されたことを、その依頼を行った者に対して簡便に通知することができる。
【００１３】
また、好適には、前記動画データベースに記憶された、所定の投稿者に係る複数の動画情報それぞれに関して、その動画情報の投稿者ではない第三者に属する所定のポイントの消費を条件としてその動画情報を前記親動画情報として設定することの許可乃至不許可を、前記動画情報の投稿者が設定し得るものである。このようにすれば、自分の投稿した動画それぞれについて、不本意に前記共演動画情報の組み合わせに係る親として選択可能とされることを好適に防止できる。
【００１４】
また、好適には、前記親動画情報設定手段は、前記動画データベースに記憶された動画情報の投稿者ではない第三者に属する所定のポイントが消費されて、その動画情報が前記親動画情報として設定された場合には、その動画情報の投稿者に対してその旨の通知を行うものである。このようにすれば、自分の投稿した動画が第三者のポイント消費により前記共演動画情報の組み合わせに係る親として選択可能とされたことを、投稿者に対して簡便に通知することができる。
【００１５】
また、好適には、前記動画データベースに記憶された動画情報それぞれに関して、その動画情報を前記親動画情報として設定することの許可を求める依頼を行った前記第三者を一覧表示させる依頼者表示制御手段を備えたものである。このようにすれば、自分の投稿した動画を前記共演動画情報の組み合わせに係る親として選択可能とすることを求める第三者を簡便に確認できる。
【００１６】
また、好適には、前記動画データベースに記憶された動画情報それぞれに関して、その動画情報を前記親動画情報として設定するために前記所定のポイントが消費された前記第三者を一覧表示させる設定者表示制御手段を備えたものである。このようにすれば、自分の投稿した動画を、自己のポイント消費により前記共演動画情報の組み合わせに係る親として選択可能に設定してくれた第三者を簡便に確認できる。
【００１７】
また、好適には、前記動画情報配信システムにおいて、利用者に属する所定のポイントの消費を条件としてその利用者をプレミアム会員として登録するプレミアム会員登録手段を備え、前記親動画情報設定手段は、前記動画データベースに記憶された動画情報の投稿者ではない前記プレミアム会員としての第三者に属する所定のポイントの消費を条件として、その動画情報を前記親動画情報として設定し得るものであるが、前記プレミアム会員ではない第三者に属する所定のポイントの消費を条件とした前記動画情報の前記親動画情報としての設定を受け付けないものである。このようにすれば、第三者のポイント消費による前記親動画情報としての設定の濫用を好適に防止できると共に、システムに係るポイントの消費を更に促進することができる。
【００１８】
また、好適には、前記共演動画編集制御手段は、前記動画データベースに記憶された動画情報の投稿者ではない第三者に属する所定のポイントが消費されて、その動画情報が前記親動画情報として設定された場合には、その第三者に対してはその動画情報を前記共演動画情報の組み合わせに係る親として選択可能とするが、前記第三者以外の利用者に対しては前記動画情報を前記共演動画情報の組み合わせに係る親として選択不能とするものである。このようにすれば、自己のポイント消費により前記共演動画情報の組み合わせに係る親として選択可能に設定してくれた第三者に対してのみ前記動画情報を前記共演動画情報の組み合わせに係る親として選択可能とすることで、システムに係るポイントの消費を更に促進することができる。
【００１９】
また、好適には、前記動画情報配信システムの各利用者に対して、前記動画データベースに記憶された動画情報のうち、前記親動画情報として設定されていない動画情報であって前記利用者にお薦めの動画情報を、その利用者を前記第三者とする前記親動画情報としての設定候補として表示させる設定候補表示制御手段を備えたものである。このようにすれば、共演動画サービスの利便性をより向上させると共にシステムに係るポイントの消費を更に促進することができる。
【図面の簡単な説明】
【００２０】
【図１】本発明の一実施例である動画情報配信システムの構成を説明する図である。
【図２】図１の動画情報配信システムに備えられたサーバ装置の構成を例示する図である。
【図３】図１の動画情報配信システムに備えられたパーソナルコンピュータの構成を例示する図である。
【図４】図１の動画情報配信システムに備えられたカラオケ装置の構成を例示する図である。
【図５】図２に示すサーバ装置のＣＰＵ及び図４に示すカラオケ装置のＣＰＵに備えられた制御機能の要部を説明する機能ブロック線図である。
【図６】図４のカラオケ装置による演奏曲の出力に際してデジタルカメラにより撮影された映像情報を例示する図である。
【図７】図４のカラオケ装置による共演映像に係る同期演奏制御において、図６の映像情報が背景映像として用いられる様子を説明する図である。
【図８】図３に示すパーソナルコンピュータ等の通信端末装置に表示された共演映像の一例を示す図である。
【図９】図３に示すパーソナルコンピュータ等の通信端末装置に表示される、本実施例の動画情報配信サービスに係るウェブサイトを例示する図である。
【図１０】図３に示すパーソナルコンピュータ等の通信端末装置に表示される、動画情報の投稿者ではない第三者が、その動画情報に関して各種の設定を行うための動画設定ページを例示する図である。
【図１１】図１０に示す動画設定ページにおいて、店舗配信設定ボタンに対する選択入力操作が行われた場合に行われる表示を場合毎に例示する図である。
【図１２】図１０に示す動画設定ページにおいて、配信設定実行ボタンに対する選択入力操作が行われた場合に表示される配信設定実行確認ページを例示する図である。
【図１３】図１０に示す動画設定ページにおいて、配信許可依頼ボタンに対する選択入力操作が行われた場合に表示される配信依頼送信確認ページを例示する図である。
【図１４】図１０に示す動画設定ページにおいて、公開期間延長ボタンに対する選択入力操作が行われた場合に行われる表示を場合毎に例示する図である。
【図１５】図１０に示す動画設定ページにおいて、延長設定実行ボタンに対する選択入力操作が行われた場合に表示される期間延長実行確認ページを例示する図である。
【図１６】図１０に示す動画設定ページにおいて、延長許可依頼ボタンに対する選択入力操作が行われた場合に表示される延長依頼送信確認ページを例示する図である。
【図１７】図２に示すＳＮＳデータベースに記憶された所定の利用者に関して、その依頼者が投稿した動画情報に対する各種設定及び依頼等を一覧表示させる設定／依頼一覧ページの一例を示す図である。
【図１８】図２に示す動画データベースに記憶された所定の動画情報に関して、その動画情報の公開範囲及びその動画情報に対する各種設定を行った設定者等を一覧表示させる公開範囲／設定者一覧ページの一例を示す図である。
【図１９】図２に示すＳＮＳデータベースに記憶された所定の利用者に対して、親動画情報として設定対象及び公開期間の延長対象となるお薦めの動画情報を表示させるお薦め動画一覧ページの一例を示す図である。
【図２０】図９に示す店舗配信設定欄或いは公開範囲設定欄における指名公開ユーザ選択ボタンに対する選択入力操作が行われた場合において表示される公開ユーザ指定ページの一例を示す図である。
【図２１】図３に示すパーソナルコンピュータ等の通信端末装置に表示された共演映像の一例であり、親動画情報の映像がアバタを含む映像に差し替えられた共演映像を例示している。
【図２２】図２に示すサーバ装置のＣＰＵによるログイン認証制御の要部について説明するフローチャートである。
【図２３】図２に示すサーバ装置のＣＰＵによるプレミアム会員登録制御の要部について説明するフローチャートである。
【図２４】図２に示すサーバ装置のＣＰＵによる動画投稿／設定受付制御の要部について説明するフローチャートである。
【図２５】図２に示すサーバ装置のＣＰＵによるコラボ動画（共演動画情報）投稿受付制御の要部について説明するフローチャートである。
【図２６】図２に示すサーバ装置のＣＰＵによる店舗配信（親動画情報）設定制御の要部について説明するフローチャートである。
【図２７】図２に示すサーバ装置のＣＰＵによる店舗配信依頼制御の要部について説明するフローチャートである。
【図２８】図２に示すサーバ装置のＣＰＵによる公開期間延長制御の要部について説明するフローチャートである。
【図２９】図２に示すサーバ装置のＣＰＵによる公開期間延長依頼制御の要部について説明するフローチャートである。
【図３０】図２に示すサーバ装置のＣＰＵによる動画情報配信制御の要部について説明するフローチャートである。
【図３１】図２に示すサーバ装置のＣＰＵによる共演動画情報配信制御の要部について説明するフローチャートである。
【図３２】図２に示すサーバ装置のＣＰＵによる各種情報表示制御の要部について説明するフローチャートである。
【発明を実施するための形態】
【００２１】
以下、本発明の好適な実施例を図面に基づいて詳細に説明する。
【実施例】
【００２２】
図１は、本発明の一実施例である動画情報配信システム１０の構成を説明する図である。この図１に示すように、本実施例の動画情報配信システム１０は、情報配信サービス提供会社によって運営されるサーバ装置（センタ装置）１２と、通信端末装置である複数（図１では２つを例示している）のパーソナルコンピュータ１４（以下、ＰＣ１４と称する）と、同じく通信端末装置である複数（図１では１つを例示している）の携帯電話機１６と、同じく通信端末装置である複数（図１では１つを例示している）のタブレット端末１８と、所定の通信回線２０とを、備えて構成されている。この通信回線２０は、例えば公衆電話回線、ＡＤＳＬ回線、或いは光ファイバ回線等から構成されるＷＷＷ（World Wide Web）等のインターネットに接続されたものであり、前記サーバ装置１２及びＰＣ１４は、何れも前記通信回線２０に接続されることで、その通信回線２０を介して相互に情報の通信が可能とされている。また、前記携帯電話機１６及びタブレット端末１８は、中継基地局２２を介して前記通信回線２０に接続されており、前記サーバ装置１２と前記携帯電話機１６或いはタブレット端末１８との間でも相互に情報の通信が可能とされている。
【００２３】
前記動画情報配信システム１０は、カラオケ装置を用いたカラオケシステム３０を含んで構成されている。例えば、図１に示すように、カラオケボックス、スナック、旅館等の店舗３２における複数の個室３４ａ、３４ｂ、３４ｃ、・・・（以下、特に区別しない場合には単に個室３４と称する）にそれぞれ１台乃至は複数台ずつ（図１では１台ずつ）カラオケ装置３６ａ、３６ｂ、３６ｃ、・・・（以下、特に区別しない場合には単にカラオケ装置３６と称する）が設置されている。これら複数のカラオケ装置３６は、ルータ４４を介して前記通信回線２０に接続されており、上述のようにその通信回線２０に接続されたサーバ装置１２等との相互間でその通信回線２０を介して情報の通信が可能とされている。すなわち、前記カラオケ装置３６は、前記ＰＣ１４及び携帯電話機１６等と同様に、前記通信回線２０に接続されて前記サーバ装置１２との間で情報の通信を行う通信端末装置に対応する。
【００２４】
前記動画情報配信システム１０に含まれるカラオケシステム３０において、前記サーバ装置１２は、カラオケ情報（楽曲データ）、背景映像情報、曲間情報等のデジタルコンテンツ（Digital Contents）の保管や入出力管理の基本的な制御を行うサーバとして機能し、前記通信回線２０を介して前記カラオケ装置３６に定期的にコンテンツの配信を行うと共に、そのカラオケ装置３６からの要求に応じて所定の機能制御プログラムを送信する。また、前記カラオケシステム３０は、複数の電子早見本装置３８ａ、３８ｂ、３８ｃ、・・・（以下、特に区別しない場合には単に電子早見本装置３８と称する）を備えており、前記カラオケ装置３６の利用に際して、各利用者（グループ）毎に１台乃至数台ずつの電子早見本装置３８が貸与され、各個室３４において後述するように前記カラオケ装置３６の遠隔操作装置として用いられるようになっている。前記店舗３２内には前記複数のカラオケ装置３６を相互に接続するＬＡＮ４０が敷設されており、前記電子早見本装置３８からのカラオケ装置３６への入力は、所定のアクセスポイント４２及びＬＡＮ４０を介したＬＡＮ通信等により行われる。
【００２５】
図２は、前記サーバ装置１２の構成を例示する図である。このサーバ装置１２は、中央演算処理装置であるＣＰＵ５０により随時書込読出メモリであるＲＡＭ５４の一時記憶機能を利用しつつ読出専用メモリであるＲＯＭ５２に予め記憶されたプログラムに従って信号処理を行う所謂ノイマン式コンピュータであり、ファイルの管理や入出力制御、前記通信回線２０を介してのアクセス等の管理、その通信回線２０を介しての通信制御等の各種制御を実行するサーバである。また、図２に示すように、例えばＴＦＴ（Thin Film Transistor Liquid Crystal）やＰＤＰ（Plasma Display Panel）等の映像表示装置５６と、その映像表示装置５６による映像の表示を制御するグラフィックスチップ（グラフィックスボード）等の映像処理部５８と、キーボード等の入力装置６０と、その入力装置６０による入力を処理するための入力インターフェイス６２と、前記ＣＰＵ５０等を前記通信回線２０に接続するためのモデム６４とを、備えて構成されている。
【００２６】
また、前記サーバ装置１２は、前記動画情報配信システム１０及びカラオケシステム３０に係る各種情報を記憶するデータベースとして、動画データベース６６、ＳＮＳデータベース６８、及び楽曲データベース７０をはじめとする各種データベースを備えている。これら動画データベース６６、ＳＮＳデータベース６８、及び楽曲データベース７０それぞれの記憶内容については、図５に示す各種制御機能の説明と併せて後述する。なお、図２に示すように、本実施例では前記動画データベース６６、ＳＮＳデータベース６８、及び楽曲データベース７０がそれぞれ異なる記憶装置に設けられた態様について説明するが、それらデータベースが同一の記憶装置に設けられたものであってもよい。例えば、前記動画データベース６６は、前記ＳＮＳデータベース６８の一部として設けられたものであってもよい。また、前記動画データベース６６、ＳＮＳデータベース６８、及び楽曲データベース７０がそれぞれ個別のサーバ装置に備えられ、それら複数のサーバ装置が相互に連繋して以下に説明する本実施例の制御を実行するものであってもよい。
【００２７】
図３は、前記ＰＣ１４の構成を例示する図である。このＰＣ１４は、中央演算処理装置であるＣＰＵ７４により随時書込読出メモリであるＲＡＭ７８の一時記憶機能を利用しつつ読出専用メモリであるＲＯＭ７６に予め記憶されたプログラムに従って信号処理を行う所謂ノイマン式コンピュータであり、一般にデスクトップパソコンやノートパソコン等と称される家庭用パーソナルコンピュータである。また、図３に示すように、映像表示部として機能するＴＦＴやＰＤＰ等の映像表示装置８０と、その映像表示装置８０による映像の表示を制御するグラフィックスチップ（グラフィックスボード）等の映像処理部８２と、キーボード８４及びマウス８６等の入力装置と、それら入力装置による入力を処理するための入力インターフェイス８８と、前記ＣＰＵ７４等を前記通信回線２０に接続するためのモデム９０と、記憶装置であるハードディスク９２とを、備えて構成されている。また、このＰＣ１４は、所謂ＷＷＷ（World Wide Web）ウェブサイトの情報を表示させると共にそのウェブサイトに従って各種入力等を行うことができるブラウザ（ＷＷＷブラウザ）等の一般的なアプリケーションを機能的に備えたものである。
【００２８】
図４は、前記カラオケ装置３６の構成を例示するブロック線図である。この図４に示すように、前記カラオケ装置３６は、中央演算処理装置であるＣＰＵ１００と、読出専用メモリであるＲＯＭ１０２と、随時書込読出メモリであるＲＡＭ１０４と、記憶装置であるハードディスク１０６と、グラフィックスチップ（グラフィックスボード）等の映像処理部１０８と、サウンドチップ（サウンドボード）等の音声処理部１１０と、操作パネル１１２と、表示制御部１１４及び入力制御部１１６を介して前記ＣＰＵ１００に接続されたタッチパネルディスプレイ１１８と、ＬＡＮインターフェイス１２４と、無線通信部１２６と、撮像装置であるデジタルカメラ１２８と、ビデオ出力端子１３０を介して前記映像処理部１０８に接続された映像表示装置であるディスプレイ１３２と、オーディオ入力端子１３４を介して前記音声処理部１１０に接続された音声入力装置であるマイクロフォン１３６と、オーディオ出力端子１３８を介して前記音声処理部１１０に接続された音声増幅装置であるアンプ１４０と、そのアンプ１４０に備えられた音声出力装置であるスピーカ１４２とを、備えて構成されている。
【００２９】
前記ＣＰＵ１００は、前記ＲＡＭ１０４の一時記憶機能を利用しつつ前記ＲＯＭ１０２に予め記憶された所定のプログラムに基づいて電子情報を処理・制御する所謂マイクロコンピュータであり、前記カラオケ装置３６における各種制御を実行する。すなわち、前記操作パネル１１２、タッチパネルディスプレイ１１８、或いは電子早見本装置３８等により所定の楽曲（カラオケ演奏曲）が選曲入力された場合、その選曲入力された楽曲を前記ＲＡＭ１０４等に設けられた予約曲テーブルに登録する選曲予約制御、その予約曲テーブルの演奏順に従って前記ハードディスク１０６から前記ＲＡＭ１０４に選曲されたカラオケ演奏曲の演奏情報及び歌詞情報（楽曲データ）を読み出す楽曲データ読出制御、楽曲の演奏進行に応じてそのＲＡＭ１０４から前記音声処理部１１０へ演奏情報を送信する演奏出力制御、その演奏出力制御に際して前記ＲＡＭ１０４に展開された歌詞情報に基づいて歌詞文字映像を生成して前記映像処理部１０８へ送信する歌詞文字映像出力制御、前記演奏出力制御に際して前記映像処理部１０８を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御に加えて、後述する本実施例の動画出力制御、同期演奏制御、及び演奏記録制御等の各種制御を実行する。
【００３０】
前記映像処理部１０８は、前記ディスプレイ１３２に表示される画面（映像）の描画に係る各種制御を行う。例えば、前記ＣＰＵ１００から供給されるデータに基づいてグラフィックスメモリにそのデータを書き込み、そのデータを読み出すことによって前記ビデオ出力端子１３０を介して前記ディスプレイ１３２に所定の画面を表示させる制御を行う。具体的には、前記カラオケ装置３６による楽曲の演奏出力（カラオケ演奏）に際して、前記ＣＰＵ１００において生成された歌詞文字映像等の文字映像（テロップ）を出力させたり、前記ハードディスク１０６に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ１３２に表示させたり、その歌詞文字映像を前記楽曲の演奏進行に応じて順次色替わり表示させる等の各種表示制御を行う。なお、本実施例においては、前記映像処理部１０８により前記ディスプレイ１３２の表示制御を行う一方、後述する表示制御部１１４により前記タッチパネルディスプレイ１１８（表示装置１２０）の表示制御を行う態様について説明するが、前記映像処理部１０８により前記タッチパネルディスプレイ１１８の表示制御をも行う態様も考えられる。この態様において、前記表示制御部１１４は必ずしも設けられなくともよい。
【００３１】
前記音声処理部１１０は、ＦＭ音源やＰＣＭ音源等の各種音源を備え、前記カラオケ装置３６による音声出力に係る各種制御を行う。好適には、電子回路により音を合成し、各種音色を発生するシンセサイザ（synthesizer）を備えている。このシンセサイザは、前記ハードディスク１０６から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン１３６から前記オーディオ入力端子１３４を介して入力される利用者（演奏者）の歌声とミキシングされ、前記オーディオ出力端子１３８を介して前記アンプ１４０に供給されてそのアンプ１４０により増幅されて前記スピーカ１４２から出力される。
【００３２】
前記操作パネル１１２は、前記カラオケ装置３６の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記タッチパネルディスプレイ１１８は、画像（映像）を表示させると共に利用者の操作に応じて前記カラオケ装置３６への操作入力を行う装置であり、そのタッチパネルディスプレイ１１８に所定の画像（映像）を表示させる表示装置１２０と、利用者の指や図示しない備え付けのペン等による前記タッチパネルディスプレイ１１８への接触により入力を行うタッチパネル１２２とを、備えている。前記表示制御部１１４は、前記ＣＰＵ１００から供給される情報に基づいて前記表示装置１２０に表示される画面（映像）の描画を制御する映像処理部である。前記入力制御部１１６は、前記タッチパネル１２２により入力される操作入力情報を前記ＣＰＵ１００等に供給する入力処理部である。以上の構成を備えていることで、前記タッチパネルディスプレイ１１８は、前記ディスプレイ１３２とは別に第２の映像表示装置として機能すると共に、前記カラオケ装置３６の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００３３】
前記ＬＡＮインターフェイス１２４は、前記カラオケ装置３６をＬＡＮ接続端子１４４を介して前記ＬＡＮ４０に接続するための接続器であり、そのように前記ＬＡＮ４０に接続されることで、前記カラオケ装置３６は、同様に前記ＬＡＮ４０に接続された前記電子早見本装置３８等の他の機器との間で情報の送受信が可能とされる。また、前記カラオケ装置３６が設置される店舗等に複数台のカラオケ装置が備えられている場合において、同様に前記ＬＡＮ４０に接続されたカラオケ装置相互間において情報の送受信が可能とされる。例えば、前記ＬＡＮ４０に接続されたアクセスポイント４２を介して受信される電子早見本装置３８からの選曲入力を受け付けて前記ＲＡＭ１０４に設けられた予約曲テーブルに記憶したり、そのアクセスポイント４２を介して前記カラオケ装置３６から電子早見本装置３８へ所定の情報を送信したりというように、電波を介して前記カラオケ装置３６と電子早見本装置３８との間における相互の情報のやりとりが実行される。
【００３４】
前記カラオケ装置３６は、図１に示すように、前記ＬＡＮ４０及びルータ４４等を介して前記通信回線２０に接続されており、同様にその通信回線２０に接続された他の機器との相互間でその通信回線２０を介して情報の通信が可能とされている。好適には、前記通信回線２０を介して前記サーバ装置１２に接続されており、そのサーバ装置１２から動画情報、楽曲データ（カラオケデータ）、背景映像情報、及び曲間情報等のデジタルコンテンツ（Digital Contents）の配信を受け付けるものである。すなわち、前記カラオケ装置３６は、好適には、所定の通信回線に接続されてサーバとの間で各種情報の送受信を行う通信カラオケ装置である。
【００３５】
前記無線通信部１２６は、前記カラオケ装置３６と前記電子早見本装置３８等の入力装置との間の無線通信を行う。例えば、前記電子早見本装置３８等の入力装置から送信されるリモコン信号を受信するリモコン受信部として機能する。前記カラオケ装置３６と電子早見本装置３８との対応付け（くくりつけ）処理は、好適には、斯かるリモコン信号（赤外線信号）により前記無線通信部１２６を介して行われる。すなわち、前記電子早見本装置３８は、それぞれ個別のシリアル番号を有しており、前記対応付け処理においては、例えばそのシリアル番号（例えば、下４桁）及び所定の接続コードを含む信号が接続通知として前記カラオケ装置３６へ送信され、前記無線通信部１２６によりその接続信号を受信したカラオケ装置３６に対して前記電子早見本装置３８が対応付けられる。そのようにして前記カラオケ装置３６に対応付けられた電子早見本装置３８は、そのカラオケ装置３６の入力装置（遠隔操作装置）として機能し、その電子早見本装置３８から送信される信号が前記ＣＰＵ１００に供給されることで、前記カラオケ装置３６の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。なお、前記対応付け処理が行われた後、前記電子早見本装置３８と前記カラオケ装置３６との間の通信は、前記ＬＡＮ４０及びアクセスポイント４２等を介したＬＡＮ通信により行われる。また、本実施例においては、前記カラオケ装置３６に対応付け処理の行われた電子早見本装置３８等の入力装置もそのカラオケ装置３６の一部を構成するものであるとして以下の説明を行う。
【００３６】
前記デジタルカメラ１２８は、例えばＣＣＤ（charge coupled device）等の撮像素子及びレンズを備え、そのレンズから入射される映像をＣＣＤにより検知し、その映像を電子情報（映像データ）として取得する所謂デジタルビデオカメラであり、少なくとも動画（時間の経過に従い変化する動きのある映像）を撮影し得るものであるが、必要に応じて静止画（スチル写真）を撮影できるように構成されたものであってもよい。このデジタルカメラ１２８により撮影された映像情報は、図示しないビデオ端子等のインターフェイスを介して前記ＣＰＵ１００等へ供給され、例えばＡＶＩ（Audio-Video Interleaved）形式、ＭＰＥＧ（Moving Picture Experts Group）形式、ＦＬＶ（Flash Video）形式等の映像ファイルとして前記ＲＡＭ１０４等に記憶される。なお、このデジタルカメラ１２８は、必ずしも前記カラオケ装置３６の一部として備えられたものでなくともよく、例えば前記個室３４における所定位置に固設された別体のビデオカメラ乃至前記携帯電話機１６等に備えられた撮像装置等により撮影された映像が所定のインターフェイスを介して前記カラオケ装置３６に入力される態様も考えられる。
【００３７】
前記ハードディスク１０６には、カラオケ演奏曲を出力させるための多数の楽曲データ（カラオケデータ）を記憶する楽曲データベース１４６（図５を参照）をはじめとする各種データベースが設けられている。この楽曲データベース１４６は、前記カラオケ装置３６により出力可能な演奏曲にそれぞれ対応する多数（例えば、数万曲分）の楽曲データ（カラオケデータ）を記憶する。この楽曲データは、前記音声処理部１１０により所定の楽器の演奏音を生成するためのＭＩＤＩデータ等の演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各演奏曲に固有の選曲番号により識別される。また、前記楽曲データには、その演奏曲の曲名、アーティスト名（歌手名）、発表年月日、アルバム情報（販売時に入曲されていたアルバム）、主題歌情報（アニメやドラマの主題歌等として用いられていた場合にはそのアニメやドラマ等に関する情報）、前記動画データベース６６において記憶された対応する動画情報の数、キー情報、ジャンル、ＡメロやＢメロ等の曲フラグ情報、作詞・作曲者情報、デュエット曲であるか否かを示す情報、及び曲調等の情報が関連づけられて記憶されている。
【００３８】
前記サーバ装置１２に備えられた前記楽曲データベース７０は、前記カラオケシステム３０に備えられた前記カラオケ装置３６に配信するための楽曲データを記憶するものであり、新しく作成された楽曲データはこの楽曲データベース７０に蓄積される。カラオケボックス等の店舗３２にそれぞれ備えられた複数のカラオケ装置３６のうち所定のカラオケ装置３６例えば前記カラオケ装置３６ａは、前記ＬＡＮ４０等を介して前記通信回線２０に接続されており、前記複数のカラオケ装置３６によって常に新しい曲が演奏可能とされるように、随時新たな楽曲データ等が前記サーバ装置１２の楽曲データベース７０から前記通信回線２０を介して配信され、前記ハードディスク１０６の楽曲データベース１４６等に記憶される。また、そのようにして前記サーバ装置１２から情報を取得したカラオケ装置３６ａとその他のカラオケ装置３６との間で前記ＬＡＮ４０を介した通信が行われることにより、各カラオケ装置３６のハードディスク１０６に記憶される情報が共有され、前記楽曲データベース１４６等の内容が等価なものとされる。
【００３９】
前記サーバ装置１２に備えられた動画データベース６６は、通信端末装置としての前記カラオケ装置３６、或いは前記ＰＣ１４や携帯電話機１６等から投稿すなわち前記通信回線２０を介してアップロードされた複数の動画情報（映像情報）を記憶する。この動画情報は、例えばＡＶＩ（Audio-Video Interleaved）形式、ＭＰＥＧ（Moving Picture Experts Group）形式、ＦＬＶ（Flash Video）形式等の動画ファイル（映像ファイル）であり、例えば投稿順に定められた所定の識別番号（コンテンツＩＤ）をインデックスとして前記動画データベース６６に記憶される。なお、この動画情報は、複数枚の静止画像が所定の時間間隔で切替表示される所謂パラパラアニメーションや、映像が一時的に停止する静止画部分を含むものであってもよい。また、その動画データベース６６には、投稿者の識別情報（ユーザＩＤ）、投稿者の名前（ニックネーム）、投稿時（投稿日時）、投稿に相前後して投稿者により設定（入力）された映像のタイトル、投稿者のコメント、削除用のパスワード、再生回数、投稿コメント数、閲覧者からの投票結果（得票数）、対応する演奏曲の識別情報（選曲番号）、曲名、アーティスト名、及び演奏評価結果（採点結果）等の情報が各動画情報毎にその動画情報と関連づけられて記憶されるようになっている。本実施例においては、後述する共演動画情報がその元となる動画情報と共通のデータベースである前記動画データベース６６に記憶される態様について説明するが、動画情報と共演動画情報とがそれぞれ個別のデータベースに記憶（蓄積）されるものであっても構わない。
【００４０】
本実施例においては、前記動画データベース６６に投稿された動画情報の公開期間（共演動画情報の公開期間を含む、以下の説明において同じ）が予め定められている。例えば、前記動画データベース６６に投稿された動画情報の公開期間は、基本的には、投稿日から２ヶ月間とされる。好適には、公開期間の満了した動画情報は、前記動画データベース６６から削除される。すなわち、前記公開期間は、前記動画データベース６６に投稿された動画情報の保存期間に相当する。或いは、公開期間の満了した動画情報は、前記動画データベース６６に記憶されたまま、前記通信回線２０等を介しての公開（閲覧）が停止されるものであってもよい。前記動画データベース６６に投稿された動画情報の公開期間は、所定の条件で延長され得る。この公開期間の延長に関しては、図５等を用いて後述する。
【００４１】
前記サーバ装置１２は、ＳＮＳデータベース６８を備えており、前記動画情報配信システム１０及びカラオケシステム３０の利用者を対象とするソーシャルネットワークサービス（Social Network Service）を管理運営する制御を実行する。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。以下の実施例においては、所定のＳＮＳを管理運営する１つのサーバ装置１２について説明するが、複数種類のＳＮＳをそれぞれ管理運営する複数のサーバ装置が前記通信回線２０に接続されたものであってもよく、前記携帯電話機１６等の携帯型情報通信端末によりそれら複数のＳＮＳに選択的にコンテンツの投稿等が可能とされたものであってもよい。例えば、前記動画情報配信システム１０の利用者を対象とするＳＮＳと、前記カラオケシステム３０の利用者を対象とするＳＮＳとが、それぞれ個別に設けられ、それらＳＮＳ相互間で連携して以下に詳述する制御が行われるものであってもよい。
【００４２】
本実施例においては、前記動画情報配信システム１０とカラオケシステム３０とで共通の識別情報及びパスワードを用い、それら動画情報配信システム１０及びカラオケシステム３０に関する各利用者の情報を共通のＳＮＳデータベース６８に蓄積する態様について説明するが、前記動画情報配信システム１０及びカラオケシステム３０それぞれに対応して別個の利用者データベース（顧客データベース）が設けられたものであってもよく、また、それら動画情報配信システム１０及びカラオケシステム３０それぞれに対応して個別の識別情報及びパスワードが設定されるものであってもよい。また、本実施例においては、前記動画データベース６６とＳＮＳデータベース６８とを別個のデータベースとして備えた態様について説明するが、それらは単一のデータベースとして構成されたものであってもよく、例えば、前記ＳＮＳデータベース６８に記憶された各利用者に対応する情報として、その利用者が投稿した動画情報乃至後述する共演動画情報等が記憶されるものであってもよい。
【００４３】
前記ＳＮＳデータベース６８は、前記ＳＮＳを利用する各利用者毎の情報を、その利用者の識別情報であるユーザＩＤと関連付けて記憶する記憶装置である。このＳＮＳデータベース６８には、例えば、会員登録された各利用者に対応する情報として、その利用者の名前（本名又はニックネーム）、生年月日、年齢、性別、メールアドレス、血液型、出身地、居住地、出身校（卒業校）、職場、配偶者の有無、家族、言語、宗教、座右の銘、アバタ（利用者に対応する人型映像）に関する情報、プレミアム会員登録の有無、パスワードを忘れたときのための質問及び解答、及びＳＮＳへのログイン認証に用いられるパスワード等の各項目に関する情報が、その利用者のユーザＩＤと関連付けられて記憶されている。前記ＳＮＳデータベース６８に記憶された内容に対応するウェブサイトは、前記ＰＣ１４や携帯電話機１６等の通信端末装置により正常なログイン認証が行われた利用者に対して閲覧可能に公開される。ここで、前記ＳＮＳデータベース６８において、各利用者に対応して記憶された情報の開示レベルは、各項目毎に個別に設定し得るように構成されており、例えば、フレンドとして登録された利用者には閲覧可能とされるが、フレンドとして登録されていない利用者には閲覧不能とされる情報が存在するといったように、閲覧する利用者に応じて前記ＳＮＳデータベース６８の公開範囲が異なる。この公開範囲については、図５等を用いて後述する。
【００４４】
前記ＳＮＳデータベース６８には、好適には、各利用者の前記動画情報配信システム１０の利用に係る情報として、動画情報の閲覧履歴、動画情報のブックマーク、過去に投稿した動画情報の投稿履歴、及び過去に投稿した共演動画情報の投稿履歴等の属性情報が各利用者毎にその利用者と関連づけられて記憶されるようになっている。また、好適には、各利用者の前記カラオケシステム３０の利用に係る情報として、各利用者が過去に利用したカラオケ装置３６に対応する店舗３２（そのカラオケ装置３６が設置された店舗３２）に関する情報である来店履歴、各利用者が前記カラオケ装置３６によるカラオケ演奏において十八番曲として登録した演奏曲（簡易な操作により選曲入力を行い得るように設定された演奏曲）に関する情報、各利用者が過去に前記カラオケ装置３６によるカラオケ演奏において選曲した選曲履歴（カラオケ装置３６において過去に選曲された演奏曲の履歴）としての演奏曲に関する情報、各利用者が前記カラオケ装置３６によるカラオケ演奏において過去に行った演奏評価の評価結果に関する情報、各利用者が前記カラオケ装置３６（カラオケシステム３０）における新規入力曲のリクエスト投票（入曲リクエスト）を行った対象となる演奏曲に関する情報、各利用者がフレンドとして登録した他の利用者に関する情報、各利用者の顔写真をはじめとする画像情報、各利用者が所定の演奏曲等に関して記載（入力）したレビュー、及び歌年齢等の属性情報が各利用者毎にその利用者と関連づけられて記憶されるようになっている。この歌年齢とは、利用者の演奏曲の好みの傾向がどの程度の年代（何歳）に相当するものかを示す仮想的な年齢情報であり、対象となる利用者が前記カラオケ装置３６において過去に選曲（演奏）した演奏曲に基づいて判断される値であり、好適には、対象となる利用者が過去に選曲（演奏）した演奏曲を算出の基準として、その利用者のカラオケ演奏の傾向がどの程度の年齢に相当するかという観点から導出される値である。
【００４５】
本実施例において、前記ＳＮＳデータベース６８に記憶された各種情報のうち所定の情報には、その保存期間や保存件数等が予め定められている。例えば、各利用者の登録できる十八番曲は、所定曲数（例えば、２００曲）までと定められており、その曲数以上は登録できない。各利用者の選曲履歴は、所定曲数（例えば、３００曲）まで保存されるが、その曲数以上の演奏が行われた場合には古い演奏に対応するものから削除される。各利用者に係る演奏評価の評価結果は、演奏評価が行われてから所定期間（例えば、４ヶ月間）は保存されるが、その期間が経過すると削除される。
【００４６】
前記ＳＮＳデータベース６８には、前記動画情報配信システム１０及びカラオケシステム３０における各利用者に属するポイントが、その利用者の識別情報と関連付けられて記憶されるようになっている。このポイントとは、前記動画情報配信システム１０及びカラオケシステム３０の少なくとも一方に係る各種の条件が満たされた場合に各利用者に付与される点数である。また、各利用者が前記動画情報配信システム１０及びカラオケシステム３０の少なくとも一方に係る各種のサービスを享受する際に消費される点数である。
【００４７】
例えば、各利用者が前記店舗３２に来店し、その店舗３２内に設置されたカラオケ装置３６に対して前記ＳＮＳに係るログインを行うことで、その利用者に対して所定のポイントが付与される。各利用者が前記カラオケ装置３６により予め定められた楽曲（指定楽曲）を演奏することで、その利用者に対して所定のポイントが付与される。所定のキャンペーン企画において定められたテーマに沿った動画情報を各利用者が前記動画データベース６６に投稿することで、その利用者に対して所定のポイントが付与される。前記動画情報配信システム１０乃至カラオケシステム３０に関するアンケート等、各利用者が所定の企画案件に参加することで、その利用者に対して所定のポイントが付与される。その他、各利用者がクレジットカード等により料金を支払った場合、その料金に応じたポイントがその利用者に付与される。
【００４８】
また、各利用者に属する所定のポイントの消費を条件として、その利用者が投稿した動画情報が、後述する共演動画情報の組み合わせに係る親として選択可能な親動画情報として設定される。各利用者に属する所定のポイントの消費を条件として、その利用者が投稿した動画情報の、前記動画データベース６６における公開期間が延長される。各利用者に属する所定のポイントの消費を条件として、その利用者が後述するプレミアム会員として登録される。各利用者に属する所定のポイントの消費を条件として、その利用者に対して所定のアーティストに関する特典が提供される。また、各利用者に属する所定のポイントの消費を条件として、後述する本実施例の第三者による親動画情報設定制御及び公開期間延長制御等が実行される。
【００４９】
前記ＳＮＳデータベース６８には、各利用者がプレミアム会員として登録されているか否かが記憶される。このプレミアム会員とは、プレミアム会員ではない余の利用者とは一線を画する身分であり、プレミアム会員として登録された利用者は、前記動画情報配信システム１０及びカラオケシステム３０において各種の優遇を受ける。例えば、前記ＳＮＳデータベース６８において、プレミアム会員ではない余の利用者よりも多くの曲数（例えば、６００曲）の十八番曲を登録できる。プレミアム会員ではない余の利用者よりも多くの曲数（例えば、９９９曲）に対応する選曲履歴を保存できる。プレミアム会員ではない余の利用者よりも演奏評価の評価結果の保存期間が長い（例えば、１３ヶ月間）。プレミアム会員として登録された利用者は、ポイントの消費を条件とする（要する）ことなく、その利用者が投稿した動画情報を後述する共演動画情報の組み合わせに係る親として選択可能な親動画情報として設定できる。１日における前記カラオケ装置３６（カラオケシステム３０）における新規入力曲のリクエスト投票（入曲リクエスト）の最大投票回数が、プレミアム会員ではない余の利用者よりも多い。プレミアム会員ではない余の利用者は、前記楽曲データベース７０に記憶された各楽曲データの歌詞情報を前記ＰＣ１４によっては閲覧できるが前記携帯電話機１６では閲覧できない一方、プレミアム会員として登録された利用者は、前記楽曲データベース７０に記憶された各楽曲データの歌詞情報を前記携帯電話機１６によっても閲覧できる。更に、プレミアム会員として登録された利用者は、図５を用いて後述するように本実施例に係る各種設定等が可能となる。
【００５０】
図５は、前記サーバ装置１２のＣＰＵ５０及び前記カラオケ装置３６のＣＰＵ１００に備えられた制御機能の要部を説明する機能ブロック線図である。この図５に示す例において、ＳＮＳ管理制御手段１５０、ＳＮＳ情報表示制御手段１５２、投稿受付制御手段１５８、動画配信制御手段１６２、及び共演動画編集制御手段１６８は前記サーバ装置１２のＣＰＵ５０に、入力／閲覧制御手段１５４、演奏記録制御手段１５６、配信要求制御手段１６０、動画出力制御手段１６４、及び同期演奏制御手段１６６は前記カラオケ装置３６のＣＰＵ１００に、それぞれ機能的に備えられたものである。なお、前記入力／閲覧制御手段１５４、配信要求制御手段１６０、及び動画出力制御手段１６４等は、前記カラオケ装置３６に備えられて（対応付けられて）その一部を構成する前記電子早見本装置３８のＣＰＵに備えられたものであってもよい。特に、前記入力／閲覧制御手段１５４は、好適には、前記電子早見本装置３８に機能的に備えられた、前記通信回線２０を介して閲覧可能とされたＷＷＷウェブサイトの情報を表示させると共にそのＷＷＷウェブサイトに従って各種入力等を行うことができるＷＷＷブラウザにおける一機能に対応する。
【００５１】
前記ＳＮＳ管理制御手段１５０は、前記ＳＮＳデータベース６８を主体とする前記ＳＮＳに関する情報管理制御を行う。例えば、そのＳＮＳに関する情報登録制御を行う。具体的には、前記カラオケ装置３６に備えられた入力／閲覧制御手段１５４による入力操作、或いは前記ＰＣ１４や携帯電話機１６等の情報通信端末による入力操作に応じて、前記ＳＮＳデータベース６８に新規ユーザ（利用者）の登録を行ったり、前記ＳＮＳデータベース６８に記憶された登録内容を変更（更新）したり、前記ＳＮＳデータベース６８に記憶された複数の利用者をフレンドとして相互に関連付けて登録したり、前記ＳＮＳデータベース６８に記憶された内容を各項目毎に予め設定された公開レベルに応じて前記通信回線２０を介して閲覧可能に公開したりというように、前記ＳＮＳの統括的な管理制御を行う。
【００５２】
前記ＳＮＳ管理制御手段１５０は、好適には、各利用者に対応して前記ＳＮＳデータベース６８に記憶された情報の閲覧レベルを設定し得るものである。この閲覧レベルは、その利用者に対応して前記ＳＮＳデータベース６８に記憶された情報の、他の利用者に対する閲覧に関するものであり、例えば、第１レベル「全公開（誰であっても閲覧可能）」、第２レベル「知り合い（フレンドのフレンドまで閲覧可能）」、第３レベル「友達（フレンドは閲覧可能）」、第４レベル「自分のみ（利用者のみ閲覧可能）」というように、段階的に閲覧レベルを設定し得るものである。この閲覧レベルの設定は、好適には、各利用者に対応して前記ＳＮＳデータベース６８に記憶された名前（本名又はニックネーム）、生年月日、年齢、性別、メールアドレス、血液型、出身地、居住地、出身校（卒業校）、職場、配偶者の有無、家族、言語、宗教、座右の銘、前記カラオケシステム３０に係る十八番曲、選曲履歴、演奏評価の評価結果、及びリクエスト投票に関する情報等といった各項目毎に個別に設定できるものである。
【００５３】
前記ＳＮＳ管理制御手段１５０は、前記ＳＮＳデータベース６８に記憶（登録）された複数の利用者をフレンドとして相互に対応付けて登録するフレンド登録制御を行う。例えば、前記カラオケ装置３６に備えられた入力／閲覧制御手段１５４による入力操作、或いは前記ＰＣ１４や携帯電話機１６等の情報通信端末による入力操作に応じて、前記ＳＮＳデータベース６８に記憶された対象となる利用者と、その対象となる利用者がフレンド登録を希望した他の利用者とを相互にフレンドとして対応付けて登録（記憶）する。このフレンドとは、本実施例のＳＮＳにおいて、フレンドではない不特定多数の利用者とは一線を画す関係であることを示す身分であり、前記ＳＮＳデータベース６８に記憶された所定の利用者に対応する情報のうち、公開レベルが「友達」とされた情報に関しては、その利用者のフレンドとして登録されている利用者は閲覧できるが、フレンドとして登録されていない利用者は閲覧できない。このフレンド登録に関する情報は、各利用者に関連する情報として前記ＳＮＳデータベース６８に記憶されるものであってもよいし、例えばフレンド登録された利用者それぞれのユーザＩＤを別途登録するというように前記ＳＮＳデータベース６８とは別のデータベースに記憶されるものであってもよい。また、好適には、フレンド登録の申し込みがあった場合に、一律にフレンド登録を行うのではなく、申し込まれた利用者の許可を待ってその申し込みに係るフレンド登録を行う。
【００５４】
前記ＳＮＳ管理制御手段１５０は、前記カラオケ装置３６に備えられた入力／閲覧制御手段１５４による入力操作、或いは前記ＰＣ１４や携帯電話機１６等の情報通信端末による入力操作に応じて、前記ＳＮＳに係るログイン認証を行う。すなわち、斯かる入力操作に応じて前記ＳＮＳの利用者を認証し、その認証が正常に行われた場合にはその識別情報をもってその利用者のＳＮＳへのログインを許可する。好適には、このＳＮＳへのログイン認証は、前記動画情報配信サービスに係るログイン認証を兼ねる。すなわち、前記ＳＮＳへのログイン認証が正常に行われた場合、その認証に係るユーザＩＤをもって前記動画情報配信サービスに対しても正常にログインが行われる。具体的には、前記カラオケ装置３６に備えられた入力／閲覧制御手段１５４による入力操作、或いは前記ＰＣ１４や携帯電話機１６等の情報通信端末による入力操作によりユーザＩＤ及びパスワードが入力された場合、そのユーザＩＤに対応付けられて前記ＳＮＳデータベース６８に記憶されたパスワードが入力されたものと一致するか否かを照会し、一致する場合には正常な認証を行う一方、一致しない場合にはエラーとする。
【００５５】
前記ＳＮＳ情報表示制御手段１５２は、前記ＳＮＳデータベース６８に記憶された情報のうち、正常にログイン認証された利用者に対応する情報を前記カラオケ装置３６に備えられた入力／閲覧制御手段１５４によりそのカラオケ装置３６に、或いは前記ＰＣ１４や携帯電話機１６等に閲覧可能に表示させる。すなわち、前記ＳＮＳデータベース６８に記憶された情報のうち、正常にログイン認証された利用者に対応する情報を、前記カラオケ装置３６に備えられた入力／閲覧制御手段１５４によりそのカラオケ装置３６に、或いは前記ＰＣ１４や携帯電話機１６等に閲覧可能に表示させる。例えば、正常にログイン認証された利用者自身に対応して前記ＳＮＳデータベース６８に記憶された情報を、その利用者に対して閲覧可能に配信する。前記ＳＮＳデータベース６８に記憶された情報のうち、公開レベルが「自分のみ」とされた情報は、正常にログイン認証された利用者本人に対してのみ閲覧可能に表示される。
【００５６】
前記ＳＮＳ情報表示制御手段１５２は、好適には、前記ＳＮＳデータベース６８に記憶された情報のうち、正常にログイン認証された利用者に対応する公開範囲に含まれる情報を閲覧可能に表示させる。例えば、前記ＳＮＳデータベース６８に記憶された複数の利用者に対応する情報のうち公開レベルが「全公開」とされた情報を閲覧可能に表示させる。また、前記正常にログイン認証された利用者のフレンドとして登録されている利用者のフレンド（フレンドのフレンド）として登録されている利用者に対応して前記ＳＮＳデータベース６８に記憶された情報であって、公開レベルが「知り合い」とされた情報を閲覧可能に表示させる。また、前記正常にログイン認証された利用者のフレンドとして登録されている利用者に対応して前記ＳＮＳデータベース６８に記憶された情報であって、公開レベルが「友達」とされた情報を閲覧可能に表示させる。前記ＳＮＳ情報表示制御手段１５２は、その他、前記ＳＮＳデータベース６８に記憶された情報それぞれに対応して定められた公開レベルに応じて、正常にログイン認証された利用者に対応する閲覧の制限（禁止）乃至許可を判定する。
【００５７】
前記ＳＮＳ情報表示制御手段１５２は、好適には、前記動画情報配信システム１０及びカラオケシステム３０において、前記ＳＮＳデータベース６８に記憶された各利用者に属する所定のポイントの消費を条件として、その利用者をプレミアム会員として登録する。例えば、毎月所定ポイント（例えば、３００ポイント）の消費を条件として、その利用者を前記ＳＮＳデータベース６８にプレミアム会員として登録する。或いは、所定のポイントの消費を条件として、６ヶ月間といった所定期間、対象となる利用者をプレミアム会員として登録するものであってもよいし、所定のポイントの消費を条件として、対象となる利用者を無期限にプレミアム会員として登録するものであってもよい。換言すれば、前記ＳＮＳデータベース６８にプレミアム会員として登録された利用者に関して、その利用者をプレミアム会員として登録するための対価となる所定のポイントを消費させる。すなわち、本実施例において、前記ＳＮＳ情報表示制御手段１５２がプレミアム会員登録手段として機能する。
【００５８】
本実施例の動画情報配信システム１０は、図５に示す各種制御機能により各利用者からの動画情報の投稿を受け付けると共に、投稿された動画情報を前記通信回線２０を介して配信する投稿受付制御及び映像配信制御を実行する。また、この投稿受付制御に関して、それぞれ態様の異なる第１の投稿受付制御（第１の動画投稿制御）及び第２の投稿受付制御（第２の動画投稿制御）を選択的に実行するように構成されている。すなわち、第１の投稿受付制御において、前記通信回線２０を介して前記カラオケ装置３６等の通信端末装置からの動画情報の投稿（アップロード）を受け付け、その投稿された動画情報を前記動画データベース６６に蓄積する処理を行う。一方、第２の投稿受付制御において、既に前記動画データベース６６に蓄積されている所定の動画情報を親（親動画情報）として、共演動画（コラボ動画）に係る組み合わせ対象となる動画情報の投稿を受け付け、その投稿された動画情報を前記動画データベース６６に蓄積すると共に共演動画情報として組み合わせる編集処理を行う。以下、これら第１の投稿受付制御及び第２の投稿受付制御それぞれにおける各制御機能の動作を個別に説明する。
【００５９】
先ず、前記第１の投稿受付制御及び第２の投稿受付制御において共通の前記演奏記録制御手段１５６、投稿受付制御手段１５８、配信要求制御手段１６０、及び動画配信制御手段１６２それぞれの動作について説明する。前記演奏記録制御手段１５６は、前記カラオケ装置３６による演奏曲の出力に際して、撮像装置である前記デジタルカメラ１２８により撮影された映像情報及び音声入力装置であるマイクロフォン１３６により入力された音声情報を記録する。好適には、前記デジタルカメラ１２８により撮影された映像情報と、前記マイクロフォン１３６により入力されて前記音声処理部１１０によりディジタル信号に変換された音声情報とを、例えばＡＶＩ形式、ＭＰＥＧ形式、ＦＬＶ形式等のファイル形式にて統合し、映像情報及び音声情報を含む動画情報（動画ファイル）として記録する。図６は、前記演奏記録制御手段１５６により記録された、前記カラオケ装置３６による演奏曲の出力に際して前記デジタルカメラ１２８により撮影された動画情報である第１の演奏映像１８０を例示している。なお、図５に示す各制御手段は、映像情報及び音声情報をそれぞれ個別の情報（ファイル）として記録、送受信、乃至蓄積等するものであってもよいが、本実施例においてはそれらを統合して動画ファイルとして記録、送受信、乃至蓄積等する態様について説明する。すなわち、以下の説明において特に言及しない場合には、本実施例における動画情報は、映像情報及びその再生に際して出力される音声に対応する音声情報を含むものである。
【００６０】
前記投稿受付制御手段１５８は、前記通信回線２０を介して前記カラオケ装置３６等の通信端末装置からの動画情報の投稿を受け付け、その投稿された動画情報を前記動画データベース６６に記憶させる。好適には、前記カラオケ装置３６による所定の演奏曲の出力に際して前記演奏記録制御手段１５６により記録された映像情報及び音声情報に対応する動画情報（動画ファイル）の投稿を受け付け、対象となる演奏曲（映像情報及び音声情報の記録に際して出力された演奏曲）の識別情報である選曲番号及び投稿の主体となる利用者の識別情報（ユーザＩＤ）等と関連付けて前記動画データベース６６に記憶させる。
【００６１】
前記配信要求制御手段１６０は、前記動画データベース６６に記憶された所定の動画情報の配信要求を、前記通信回線２０を介して前記サーバ装置１２へ送信する。斯かる配信要求制御手段１６０による配信要求は、例えば、前記カラオケ装置３６に備えられた入力／閲覧制御手段１５４により、前記動画情報配信システム１０を運営する情報配信サービス提供会社により管理されるＷＷＷウェブサイト（所謂動画投稿サイト）へのアクセスが行われ、所定の動画情報が選択されること等によって行われる。すなわち、前記配信要求制御手段１６０は、好適には、前記通信回線２０を介して閲覧可能とされたＷＷＷウェブサイトの情報を表示させると共にそのＷＷＷウェブサイトに従って各種入力等を行うことができるＷＷＷブラウザにおける一機能に対応する。
【００６２】
前記動画配信制御手段１６２は、前記カラオケ装置３６から前記配信要求制御手段１６０による配信要求があった場合には、その配信要求に応じて前記動画データベース６６に記憶されたその配信要求に係る動画情報を要求元である通信端末装置に前記通信回線２０を介して配信する。この動画配信制御手段１６２により各通信端末装置に配信された動画情報は、後述する動画出力制御手段１６４によりその通信端末装置の表示部（映像表示装置）に表示される。また、前記動画配信制御手段１６２は、前記ＰＣ１４や携帯電話機１６等の通信端末装置から所定の動画情報の配信要求があった場合には、その配信要求に応じて前記動画データベース６６に記憶されたその配信要求に係る動画情報を要求元である通信端末装置に前記通信回線２０を介して配信する。この動画配信制御手段１６２により各通信端末装置に配信された動画情報は、その通信端末装置に機能的に備えられたＷＷＷブラウザ等によりその通信端末装置の表示部（映像表示装置）に表示される。
【００６３】
図５に示すように、前記ＳＮＳ管理制御手段１５０は、親動画情報設定手段１７０を備えている。この親動画情報設定手段１７０は、所定の条件が満たされる場合に、前記動画データベース６６に記憶された動画情報を、前記共演動画情報の組み合わせに係る親として選択可能な親動画情報として設定する。この親動画情報とは、複数の動画情報を組み合わせて前記共演動画情報を編集する際に基礎となる１の動画情報であり、好適には、以下に詳述する第２の投稿受付制御において、子となる動画情報の記録と併行して前記カラオケ装置３６により出力される動画情報に対応する。すなわち、前記親動画情報設定手段１７０は、換言すれば、所定の条件が満たされる場合に、前記動画データベース６６に記憶された複数の動画情報を、前記第２の投稿受付制御において出力可能に前記店舗３２等に対して配信可能な店舗配信動画情報として設定する。換言すれば、前記動画データベース６６に記憶された動画情報それぞれに関して、前記カラオケ装置３６による前記親動画情報としての出力の可否を設定する。前記親動画情報設定手段１７０は、基本的には、前記動画データベース６６に記憶された動画情報の投稿者に属する所定のポイント（例えば、１００ポイント）の消費を条件として、その動画情報を前記共演動画情報の組み合わせに係る親として選択可能な親動画情報として設定する。また、好適には、プレミアム会員として登録された利用者の投稿した動画情報に関しては、ポイントの消費を条件とすることなくその投稿者による前記親動画情報としての設定を行う。
【００６４】
次に、第２の投稿受付制御における前記演奏記録制御手段１５６、投稿受付制御手段１５８、配信要求制御手段１６０、動画配信制御手段１６２、動画出力制御手段１６４、同期演奏制御手段１６６、及び共演動画編集制御手段１６８それぞれの動作について説明する。本実施例においては、前記入力／閲覧制御手段１５４による入力操作に応じて、前記動画データベース６６に記憶された複数の動画情報から、前記共演動画情報の組み合わせに係る親としての動画情報の検索が行われる。この共演動画情報の組み合わせに係る親としての動画情報は、前記動画データベース６６に記憶された複数の動画情報であって、前記親動画情報設定手段１７０により親動画情報として設定された動画情報のうちから選択される。例えば、前記入力／閲覧制御手段１５４により入力される文字乃至は文字列によって示される条件に基づいて、前記動画データベース６６において親動画情報として設定された動画情報のうち、単数乃至は複数の動画情報が検索される。そのようにして検索された動画情報が、前記共演動画情報の組み合わせに係る親として選択された場合、前記配信要求制御手段１６０により前記サーバ装置１２に対してその動画情報の配信要求が送信される。
【００６５】
前記動画出力制御手段１６４は、前記配信要求制御手段１６０による配信要求に応じて、前記サーバ装置１２の前記動画配信制御手段１６２により配信された動画情報の出力を制御する。すなわち、前記サーバ１２から前記通信回線２０を介してダウンロードされた動画情報を再生して前記ディスプレイ１３２に表示させる。ここで、前記カラオケ装置３６においては、前記映像処理部１０８が斯かる動画出力制御手段１６４として機能するものであってもよい。前記同期演奏制御手段１６６は、前記動画出力制御手段１６４による、前記共演動画情報の組み合わせに係る親としての動画情報の出力と同期してその動画情報と関連付けられた演奏曲を出力させる。例えば、前記動画出力制御手段１６４により対象となる動画情報の出力（再生）が行われる際に、その動画情報と関連付けられた演奏曲（動画データベース６６において関連付けられていた選曲番号に対応する演奏曲）の楽曲データを前記楽曲データベース１４６から読み出し、動画情報の出力が開始されるのと同期して（同時に）その楽曲データに対応するカラオケ演奏制御を開始する。所定の演奏曲と関連付けられた動画情報は、前記演奏記録制御手段１５６によりその演奏曲の出力に際して前記デジタルカメラ１２８により撮影された動画情報を記録したものであるため、前記共演動画情報の組み合わせに係る親としての動画情報の出力と同期して、対応する演奏曲のカラオケ演奏制御を行うことで、あたかもその親としての動画情報の歌い手と同時に歌っているような共演演奏（コラボ演奏）を実現できる。
【００６６】
前記動画出力制御手段１６４は、好適には、前記同期演奏制御手段１６６による演奏曲の出力と同期してその演奏曲と関連付けられた、前記共演動画情報の組み合わせに係る親としての動画情報を出力させる際に、その動画情報に含まれる音声情報は非出力すなわちミュートとする。換言すれば、音声情報を含む映像情報においてその映像情報のみを出力させる。なお、必ずしも音声情報を非出力としなくともよく、対応する映像情報の音声情報を出力させてもよい。また、前記同期演奏制御手段１６６は、好適には、前記動画出力制御手段１６４による動画情報の出力と同期してその動画情報と関連付けられた演奏曲を出力させる際に、同期再生されるその動画情報をカラオケ演奏における背景映像として前記ディスプレイ１３２に表示させる。例えば、前述した図６に示す第１の演奏映像１８０の出力と同期してその第１の演奏映像１８０と関連付けられた演奏曲（第１の演奏映像１８０の記録に際して出力された演奏曲）を出力させる場合、図７に示すように、前記動画出力制御手段１６４により再生される第１の演奏映像１８０の前面側に、出力される演奏曲の歌詞情報に基づいて生成される歌詞文字映像１８２を前記映像処理部１０８等により合成して前記ディスプレイ１３２に表示させる。なお、前記同期演奏制御手段１６６は、前記動画出力制御手段１６４による動画情報の出力と同期してその動画情報と関連付けられた演奏曲を出力させる際に、その演奏曲の歌詞文字映像は表示させずその動画情報のみを前記ディスプレイ１３２に表示させるものであってもよい。
【００６７】
前記演奏記録制御手段１５６は、前記動画出力制御手段１６４による動画情報の出力と同期して前記同期演奏制御手段１６６によりその動画情報と関連付けられた演奏曲を出力させる同期演奏制御に際して、撮像装置である前記デジタルカメラ１２８により撮影された映像情報及び音声入力装置であるマイクロフォン１３６により入力された音声情報を記録する。好適には、前記デジタルカメラ１２８により撮影された動画情報と、音声入力装置であるマイクロフォン１３６により入力されて前記音声処理部１１０等によりディジタル信号に変換された音声情報とを、例えばＡＶＩ形式、ＭＰＥＧ形式、ＦＬＶ形式等のファイル形式にて統合し、映像情報及び音声情報を含む動画情報（動画ファイル）として記録する。
【００６８】
前記投稿受付制御手段１５８は、前記同期演奏制御手段１６６による所定の演奏曲の出力に際して前記演奏記録制御手段１５６により記録された映像情報及び音声情報に対応する動画情報の投稿を受け付け、対象となる演奏曲（同期演奏制御手段１６６により出力された演奏曲）の識別情報、投稿の主体となる利用者の識別情報（ユーザＩＤ）、及び共演演奏に係る動画情報の識別情報（コンテンツＩＤ）と関連付けて前記動画データベース６６に記憶させる。
【００６９】
前記共演動画編集制御手段１６８は、前記投稿受付制御手段１５８により受け付けられる複数の動画情報を組み合わせて共演動画情報を編集する。好適には、前記第２の投稿受付制御において、前記共演動画情報の組み合わせに係る親として前記カラオケ装置３６から出力された動画情報に、その動画情報の出力と併行して前記演奏記録制御手段１５６により記録された動画情報を組み合わせて共演動画情報を編集し、その編集された共演動画情報を前記動画データベース６６に記憶させる。すなわち、前記動画データベース６６に記憶された複数の動画情報のうち前記親動画情報設定手段１７０により親動画情報として設定された何れかの動画情報に対して、単数乃至複数の動画情報を組み合わせて前記共演動画情報を編集する。換言すれば、前記投稿受付制御手段１５８により受け付けられる、共通の演奏曲に関連付けられた複数の動画情報を組み合わせて共演動画情報を編集し、その編集された共演動画情報をその演奏曲の識別情報（コンテンツＩＤ）と関連付けて前記動画データベース６６に記憶させる。すなわち、前記共演動画編集制御手段１６８は、好適には、前記投稿受付制御手段１５８により先に投稿された第１の動画情報すなわち親としての動画情報である第１の演奏映像１８０に対して、後に投稿された第２の動画情報である第２の演奏映像１８４（図８等を参照）を組み合わせて前記共演動画情報を編集するものである。
【００７０】
前記共演動画編集制御手段１６８により編集される共演動画情報とは、前記組み合わせに係る複数の動画情報を同期して（同時に）出力させるための情報であり、好適には、前記組み合わせに係る複数の動画情報が合成され、それら複数の動画情報とは別に１動画情報（動画ファイル）としての共演動画情報が作成されて前記動画データベース６６に記憶される。或いは、前記動画データベース６６にそれぞれ個別に（独立した動画ファイルとして）記憶された組み合わせに係る複数の動画情報が、後述する図８に示すように共演映像として同期出力されるものであってもよい。すなわち、前記共演動画情報は、前記動画データベース６６にそれぞれ個別に（独立した動画ファイルとして）記憶された組み合わせに係る複数の動画情報を読み出し、それら動画情報を共演映像として同期出力させるための組み合わせ情報に相当するものであってもよい。前記共演動画編集制御手段１６８は、好適には、前記共演動画情報の属性情報として、対象となる演奏曲の識別情報（選曲番号）、その演奏曲の曲名、アーティスト名、演奏時間、投稿日時、組み合わせに係る各動画情報の投稿者の識別情報（ユーザＩＤ）、各投稿者の名前（ニックネーム）、各投稿者のコメント、共演映像のタイトル等を、対象となる共演動画情報と関連付けて前記動画データベース６６に記憶させる。
【００７１】
前記動画配信制御手段１６２は、前記入力／閲覧制御手段１５４による入力操作、或いは前記ＰＣ１４や携帯電話機１６等の情報通信端末による入力操作による、前記通信回線２０を介しての通信端末装置からの配信要求に応じて、前記動画データベース６６に記憶されたその配信要求に係る共演動画情報をその通信端末装置に配信する。好適には、配信要求に係る共演動画情報を前記動画データベース６６から読み出し、前記配信要求元である通信端末装置に配信する。この動画配信制御手段１６２により配信された共演動画情報は、前記カラオケ装置３６に備えられた動画出力制御手段１６４や、前記ＰＣ１４乃至携帯電話機１６に備えられたＷＷＷブラウザ等により各通信端末装置の表示部（映像表示装置）に表示される。
【００７２】
図８は、前記カラオケ装置３６、ＰＣ１４、或いは携帯電話機１６等の通信端末装置に表示された共演映像１８６の一例を示す図である。図８に示す例においては、共通の楽曲データに関連付けられた１対の動画情報の組み合わせに係る共演動画情報の表示について説明しているが、３つ以上の動画情報の組み合わせに係る共演動画情報も考えられる。図８に示す共演映像１８６においては、前述した図６に示す第１の演奏映像１８０と、前記動画出力制御手段１６４及び同期演奏制御手段１６６によりその第１の演奏映像１８０の出力と同期して実行されたカラオケ演奏の出力に際して前記演奏記録制御手段１５６により記録された第２の演奏映像１８４とが、所定のＷＷＷウェブサイト上において同期して（同時に）出力される例を示している。この図８に示すＷＷＷウェブサイトは、例えば、前記動画情報配信システム１０を運営する情報配信サービス提供会社により管理される所謂動画投稿サイトに相当するものであり、前記カラオケ装置３６において閲覧可能とされると共に、一般的なＷＷＷブラウザにより前記ＰＣ１４や携帯電話機１６等の通信端末装置においても閲覧可能とされる。このＷＷＷウェブサイト上においては、出力される共演映像に係る共通の演奏曲の曲名及びアーティスト名が表示されると共に、再生／停止ボタン１８８、頭出しボタン１９０、再生位置決定つまみ１９２、音量設定つまみ１９４、及び表示画面の全画面表示乃至等倍表示を切り替える表示切替ボタン１９６等が表示され、各ボタン乃至つまみにより共演映像の出力に係る各種操作が可能とされている。また、各動画情報に対応して非表示ボタン１９８が表示され、その非表示ボタン１９８が押されることで共演映像に係る２つの動画情報の何れか一方を非表示とすることができるようになっている。
【００７３】
図８に示すＷＷＷウェブサイトが前記ＰＣ１４、携帯電話機１６、及びカラオケ装置３６等の通信端末装置におけるＷＷＷブラウザに表示された状態において、各通信端末装置の操作部により前記ＷＷＷウェブサイトにおける再生／停止ボタン１８８が押される等の操作が行われた場合、前記共演映像１８６の出力すなわち前記第１の演奏映像１８０及び第２の演奏映像１８４の同期出力が開始される。この共演映像１８６の出力においては、前記第１の演奏映像１８０及び第２の演奏映像１８４が同期して再生されると共に、それら第１の演奏映像１８０及び第２の演奏映像１８４それぞれに含まれる音声情報も同期して出力される。この音声情報の出力に関して、前記第１の演奏映像１８０に対応する音声情報が左のスピーカから出力される一方、前記第２の演奏映像１８４に対応する音声情報が右のスピーカから出力されるといった制御を行うものであってもよいし、それらの音声情報を合成してステレオ出力させるものであってもよい。このように、共演動画情報の組み合わせに係る複数の動画情報及びその音声情報が同期して出力されることで、あたかも各動画情報の演奏者が同時に演奏を行っているような共演映像（コラボ動画）の出力が可能とされる。
【００７４】
前記親動画情報設定手段１７０は、前記動画データベース６６に記憶された動画情報の投稿者ではない第三者に属する所定のポイントの消費を条件として、その動画情報を前記親動画情報として設定する。すなわち、前記動画データベース６６に記憶された動画情報を前記親動画情報として設定することは、基本的にはその動画情報の投稿者を主体として実行されるが、所定のポイントの消費を条件として、前記動画情報の投稿者ではない第三者を主体としても、その動画情報を前記親動画情報として設定可能とする。この第三者を主体とする設定は、好適には、前記ＳＮＳデータベース６８にプレミアム会員として登録された利用者にのみ許可される。すなわち、前記親動画情報設定手段１７０は、前記動画データベース６６に記憶された動画情報の投稿者ではない前記プレミアム会員としての第三者に属する所定のポイントの消費を条件として、その動画情報を前記親動画情報として設定し得るものであるが、前記プレミアム会員ではない第三者に属する所定のポイントの消費を条件とした前記動画情報の前記親動画情報としての設定を受け付けない。
【００７５】
前記親動画情報設定手段１７０は、好適には、前記動画データベース６６に記憶された動画情報に関して、その動画情報の投稿者ではない第三者に属する所定のポイントの消費を条件として、その動画情報を前記親動画情報として設定することの許可乃至不許可を設定する。好適には、前記動画データベース６６に記憶された動画情報に関して、その動画情報の投稿者による斯かる設定を受け付ける。すなわち、前記動画データベース６６に記憶された動画情報に関して、その動画情報の投稿者ではない第三者に属する所定のポイントの消費を条件としてその動画情報を前記親動画情報として設定することの許可乃至不許可を、その動画情報の投稿者が設定し得るものである。また、好適には、前記動画データベース６６に記憶された複数の動画情報に関して、それぞれ個別に斯かる設定を行う。すなわち、前記動画データベース６６に記憶された、所定の投稿者に係る複数の動画情報それぞれに関して、その動画情報の投稿者ではない第三者に属する所定のポイントの消費を条件としてその動画情報を前記親動画情報として設定することの許可乃至不許可を、前記動画情報の投稿者が設定し得る。
【００７６】
図９は、前記ＳＮＳ情報表示制御手段１５２により前記ＰＣ１４、携帯電話機１６、及びカラオケ装置３６等の通信端末装置に表示される、前記動画情報配信システム１０のサービスに係るウェブサイトを例示する図である。以下の説明に用いる図９〜図２１は、何れも前記ＰＣ１４、携帯電話機１６、及びカラオケ装置３６等の通信端末装置に表示されるウェブサイト（ウェブページ）を例示しており、各ウェブサイトにおけるボタン等の選択入力操作は、そのウェブサイトの表示に係る通信端末装置の入力装置を介して行われるが、本実施例においてはその詳細な説明を省略する。図９においては、前記ＳＮＳデータベース６８に記憶された各利用者毎に設けられた個人用ページ（マイページ）における、自分が投稿した動画情報に関する各種設定を行うためのマイ動画ページ２００の一例を示している。図９に示すマイ動画ページ２００においては、所定の動画情報に関して、動画情報表示欄２０２と、公開範囲設定欄２０４と、店舗配信設定欄２０６と、保存期間設定欄２０８とが、表示されるようになっている。また、前記動画情報に対する通知あった旨が、通知欄２１０に表示されるようになっている。
【００７７】
前記動画情報表示欄２０２には、前記所定の動画情報に関する各種情報が表示される。例えば、前記所定の動画情報のサムネイル、曲名、歌手名（アーティスト名）、投稿日、再生回数、及びコメント数等が表示される。前記公開範囲設定欄２０４には、前記所定の動画情報の公開範囲を設定するためのラジオボタンが表示される。この公開範囲の設定については、図５に示す公開範囲設定手段１７３の説明と併せて後述する。前記店舗配信設定欄２０６には、前記所定の動画情報の店舗配信に関する設定を行うためのラジオボタンが表示される。前記保存期間設定欄２０８においては、前記所定の動画情報の公開期間の延長に係る設定を行うためのラジオボタンが表示される。この公開期間の延長については、図５に示す公開期間延長制御手段１７２の説明と併せて後述する。
【００７８】
前記店舗配信設定欄２０６において、ラジオボタン「配信する」が選択された場合、投稿者に属する所定のポイント（１００ポイント）が消費されると共に、前記所定の動画情報が前記ＳＮＳデータベース６８に記憶された全利用者に対して前記共演動画情報の親として利用可能な前記親動画情報として登録される。ラジオボタン「指名配信」が選択された場合、投稿者に属する所定のポイント（１００ポイント）が消費されると共に、後述するように前記所定の動画情報が、所定の利用者に対してのみ前記共演動画情報の親として利用可能な前記親動画情報として登録される。この場合において、前記店舗配信設定欄２０６における指名公開ユーザ選択ボタンに対する選択入力操作が行われると、図２０を用いて後述するように、指名配信の対象となる利用者の選択を行うためのページが表示される。ラジオボタン「配信しない」が選択された場合、前記所定の動画情報は親動画情報として設定されない。また、前記店舗配信設定欄２０６において、「他人からの配信設定を受け付ける」にチェックが入れられた場合、前記所定の動画情報の投稿者ではない第三者に属する所定のポイントの消費を条件として、その動画情報を前記親動画情報として設定することが許可されるが、チェックが入れられない場合、不許可とされる。
【００７９】
前記親動画情報設定手段１７０は、好適には、前記動画データベース６６に記憶された、投稿者により前記親動画情報として設定することが不許可と設定された動画情報に対して、その動画情報の投稿者ではない第三者から前記親動画情報として設定することの許可を求める依頼があった場合には、前記投稿者に対してその旨の通知を行う。また、好適には、前記投稿者に対して斯かる通知を行った場合において、その投稿者が前記動画情報に関して前記第三者による前記親動画情報としての設定を許可した場合には、前記依頼を行った前記第三者に対してその旨の通知を行う。また、前記親動画情報設定手段１７０は、好適には、前記動画データベース６６に記憶された動画情報の投稿者ではない第三者に属する所定のポイントが消費されて、その動画情報が前記親動画情報として設定された場合には、その動画情報の投稿者に対してその旨の通知を行う。ここで、前記第三者による前記動画情報の親動画情報としての設定は、前記投稿者に対して許可依頼を送信し、その許可依頼に対して前記投稿者により許可された旨の通知が送付された利用者においてのみ実行可能とされるものであってもよい。
【００８０】
図１０は、前記ＰＣ１４、携帯電話機１６、及びカラオケ装置３６等の通信端末装置に表示される、前記動画データベース６６に記憶された動画情報の投稿者ではない第三者が、その動画情報に関して各種の設定を行うための動画設定ページ２１２を例示する図である。図１０に示す動画設定ページ２１２においては、所定の動画情報に関して、その動画情報の公開範囲すなわち閲覧を許可された利用者（公開ユーザ）を見るための公開ユーザ確認ボタン２１４と、投稿者ではない第三者が前記所定の動画情報を前記親動画情報として設定（店舗配信設定）するための店舗配信設定ボタン２１６と、投稿者ではない第三者が前記所定の動画情報の公開期間（保存期間）を延長するための公開期間延長ボタン２１８とが、表示されるようになっている。この公開期間延長ボタン２１８については、図５に示す公開期間延長制御手段１７２の説明と併せて後述する。
【００８１】
前記動画設定ページ２１２において、前記店舗配信設定ボタン２１６に対する選択入力操作が行われた場合、前記所定の動画情報に係る現在の親動画情報として登録の有無、及びその動画情報の投稿者による設定に応じて、図１１に示すような表示が前記動画設定ページ２１２において行われる。すなわち、（ａ）前記所定の動画情報が現在において既に前記親動画情報として登録されている場合には、その旨すなわち前記所定の動画情報が店舗配信中である旨の表示が行われる。また、（ｂ）前記所定の動画情報が現在において前記親動画情報として登録されておらず、且つその動画情報に係る第三者による店舗配信設定が投稿者により許可されている場合には、前記所定の動画情報が未配信である旨が表示されると共に、図１１に示す配信設定実行ボタン２２０が前記動画設定ページ２１２に表示される。また、（ｃ）前記所定の動画情報が現在において前記親動画情報として登録されておらず、且つその動画情報に係る第三者による店舗配信設定が投稿者により許可されていない場合には、前記所定の動画情報が未配信である旨が表示されると共に、図１１に示す配信許可依頼ボタン２２２が前記動画設定ページ２１２に表示される。また、（ｄ）前記所定の動画情報が現在において前記親動画情報として登録されておらず、且つその動画情報に係る第三者による店舗配信許可依頼が既に行われている場合には、前記所定の動画情報が未配信である旨及びその動画情報に係る第三者による店舗配信許可依頼が既に行われている旨が表示される。
【００８２】
前記動画設定ページ２１２において、前記配信設定実行ボタン２２０に対する選択入力操作が行われた場合、図１２に示すような配信設定実行確認ページ２２４が表示される。この図１２に示す配信設定実行確認ページ２２４においては、前記所定の動画情報を前記親動画情報として登録する（店舗配信設定する）ために所定のポイントが必要であることを再度確認する表示が行われると共に、配信中止ボタン２２６と、配信実行ボタン２２８とが、表示される。図１２に示す配信設定実行確認ページ２２４において、前記配信中止ボタン２２６に対する接触入力操作が行われた場合、前記所定の動画情報の前記親動画情報としての登録は行われず、例えば図１０に示す動画設定ページ２１２等の所定のウェブページに復帰させられるが、前記配信実行ボタン２２８に対する接触入力操作が行われた場合、その設定の主体である前記第三者に属する所定のポイントが消費されると共に、前記所定の動画情報が前記共演動画情報の組み合わせに係る親として選択可能な親動画情報として、前記動画データベース６６に登録（設定）される。
【００８３】
前記動画設定ページ２１２において、前記配信許可依頼ボタン２２２に対する選択入力操作が行われた場合、図１３に示すような配信依頼送信確認ページ２３０が表示される。この図１３に示す配信依頼送信確認ページ２３０においては、依頼中止ボタン２３２と、依頼実行ボタン２３４とが、表示される。図１３に示す配信依頼送信確認ページ２３０において、前記依頼中止ボタン２３２に対する接触入力操作が行われた場合、前記所定の動画情報に係る第三者による店舗配信許可依頼は行われず、例えば図１０に示す動画設定ページ２１２等の所定のウェブページに復帰させられるが、前記依頼実行ボタン２３４に対する接触入力操作が行われた場合、前記所定の動画情報の投稿者に対して、その動画情報に係る第三者による店舗配信の許可を依頼する通知が送信される。このようにして、前記第三者の操作により店舗配信の許可を依頼する通知が送信された場合、例えば、前記所定の動画情報の投稿者に係る図９に示すマイ動画ページ２００の通知欄２１０に、前記動画情報に対して第三者から店舗配信許可依頼があった旨が表示される。そして、その店舗配信許可依頼を受けて前記投稿者によりその動画情報に係る第三者による店舗配信が許可された場合、前記店舗配信許可依頼を行った利用者（依頼者）に対して、その旨の通知が送信され、図示しないその利用者のマイページにその旨の表示が行われる。
【００８４】
前記共演動画編集制御手段１６８は、好適には、前記動画データベース６６に記憶された動画情報の投稿者ではない第三者に属する所定のポイントが消費されて、その動画情報が前記親動画情報として設定された場合には、その第三者に対してはその動画情報を前記共演動画情報の組み合わせに係る親として選択可能とするが、前記第三者以外の利用者に対しては前記動画情報を前記共演動画情報の組み合わせに係る親として選択不能とする。換言すれば、前記動画データベース６６に記憶された動画情報の投稿者ではない第三者に属する所定のポイントが消費されて、その動画情報が前記親動画情報として設定された場合には、その第三者に対してのみその動画情報を前記共演動画情報の組み合わせに係る親として選択可能とする。
【００８５】
図５に示すように、前記ＳＮＳ管理制御手段１５０は、公開期間延長制御手段１７２を備えている。この公開期間延長制御手段１７２は、基本的には、前記動画データベース６６に記憶された動画情報（共演動画情報を含む、以下の説明において同じ）の投稿者に属する所定のポイントの消費を条件として、その動画情報の公開期間を延長する。好適には、斯かる動画情報の公開期間の延長に関して、その延長に係る期間の長さに応じて前記所定のポイントが異なる。例えば、公開期間を１ヶ月延長させるために１００ポイントの消費を条件とし、公開期間を３ヶ月延長させるために２００ポイントの消費を条件とし、公開期間を６ヶ月延長させるために３００ポイントの消費を条件とし、公開期間を１２ヶ月延長させるために４００ポイントの消費を条件とする。なお、前記公開期間延長制御手段１７２は、好適には、前記動画データベース６６に記憶された動画情報の公開期間が満了した後は、前記公開期間の延長を受け付けない。
【００８６】
前記公開期間延長制御手段１７２は、前記動画データベース６６に記憶された動画情報の投稿者ではない第三者に属する所定のポイントの消費を条件として、その動画情報の公開期間を延長する。すなわち、前記動画データベース６６に記憶された動画情報の公開期間の延長は、基本的にはその動画情報の投稿者を主体として実行されるが、所定のポイントの消費を条件として、前記動画情報の投稿者ではない第三者を主体としても、その動画情報の公開期間を延長可能とする。この第三者を主体とする公開期間の延長は、好適には、前記ＳＮＳデータベース６８にプレミアム会員として登録された利用者にのみ許可される。すなわち、前記親動画情報設定手段１７０は、前記動画データベース６６に記憶された動画情報の投稿者ではない前記プレミアム会員としての第三者に属する所定のポイントの消費を条件として、その動画情報の公開期間を延長し得るものであるが、前記プレミアム会員ではない第三者に属する所定のポイントの消費を条件とした前記動画情報の公開期間の延長を受け付けない。
【００８７】
前記公開期間延長制御手段１７２は、好適には、前記動画データベース６６に記憶された動画情報に関して、その動画情報の投稿者ではない第三者に属する所定のポイントの消費を条件として、その動画情報の公開期間を延長することの許可乃至不許可を設定する。好適には、前記動画データベース６６に記憶された動画情報に関して、その動画情報の投稿者による斯かる設定を受け付ける。すなわち、前記動画データベース６６に記憶された動画情報に関して、その動画情報の投稿者ではない第三者に属する所定のポイントの消費を条件としてその動画情報の公開期間を延長することの許可乃至不許可を、その動画情報の投稿者が設定し得るものである。また、好適には、前記動画データベース６６に記憶された複数の動画情報に関して、それぞれ個別に斯かる設定を行う。すなわち、前記動画データベース６６に記憶された、所定の投稿者に係る複数の動画情報それぞれに関して、その動画情報の投稿者ではない第三者に属する所定のポイントの消費を条件としてその動画情報の公開期間を延長することの許可乃至不許可を、前記動画情報の投稿者が設定し得る。
【００８８】
例えば、図９に示すマイ動画ページ２００における保存期間設定欄２０８において、複数の延長期間（１ヶ月、３ヶ月、６ヶ月、１２ヶ月）の何れかの延長期間が選択（設定）された場合、その延長期間に応じて投稿者に属する所定のポイント（１ヶ月の場合１００ポイント、３ヶ月の場合２００ポイント、６ヶ月の場合３００ポイント、１２ヶ月の場合４００ポイント）が消費されると共に、前記所定の動画情報の公開期間が延長される。また、前記保存期間設定欄２０８において、「他人からの保存期間延長を受け付ける」にチェックが入れられた場合、前記所定の動画情報の投稿者ではない第三者に属する所定のポイントの消費を条件として、その動画情報の公開期間を延長することが許可されるが、チェックが入れられない場合、不許可とされる。
【００８９】
前記公開期間延長制御手段１７２は、好適には、前記動画データベース６６に記憶された、投稿者により前記第三者による公開期間の延長が不許可と設定された動画情報に対して、その動画情報の投稿者ではない第三者から公開期間を延長することの許可を求める依頼があった場合には、前記投稿者に対してその旨の通知を行う。また、好適には、前記投稿者に対して斯かる通知を行った場合において、その投稿者が前記動画情報に関して前記第三者による公開期間の延長を許可した場合には、前記依頼を行った前記第三者に対してその旨の通知を行う。また、前記公開期間延長制御手段１７２は、好適には、前記動画データベース６６に記憶された動画情報の投稿者ではない第三者に属する所定のポイントが消費されて、その動画情報の公開期間が延長された場合には、その動画情報の投稿者に対してその旨の通知を行う。また、前記公開期間延長制御手段１７２は、好適には、前記動画データベース６６に記憶された動画情報に関して、その動画情報に係る累計延長期間が前記上限値（延長限度）に達した場合には、その動画情報の投稿者ではない第三者に属する所定のポイントの消費を条件とする更なる公開期間の延長及びその動画情報の公開期間を延長することの許可を求める依頼を受け付けない。ここで、前記第三者による前記動画情報の公開期間の延長は、前記投稿者に対して許可依頼を送信し、その許可依頼に対して前記投稿者により許可された旨の通知が送付された利用者においてのみ実行可能とされるものであってもよい。
【００９０】
前記動画設定ページ２１２において、前記公開期間延長ボタン２１８に対する選択入力操作が行われた場合、前記所定の動画情報に係る公開期間、既に延長された累計延長期間、及びその動画情報の投稿者による設定に応じて、図１４に示すような表示が前記動画設定ページ２１２において行われる。すなわち、（ａ）前記所定の動画情報に係る第三者による公開期間の延長が投稿者により許可されている場合には、現在の公開期間及び図１４に示す延長設定実行ボタン２３６が前記動画設定ページ２１２に表示される。また、（ｂ）前記所定の動画情報に係る第三者による公開期間の延長が投稿者により許可されていない場合には、現在の公開期間及び図１４に示す延長許可依頼ボタン２３８が前記動画設定ページ２１２に表示される。また、（ｃ）前記所定の動画情報に係る累計延長期間が前記上限値（延長限度）に達している場合には、現在の公開期間及びその公開期間をこれ以上延長できない旨が表示される。また、（ｄ）前記所定の動画情報に係る第三者による公開期間の延長が投稿者により許可されておらず、且つその動画情報に係る第三者による公開期間の延長許可依頼が既に行われている場合には、現在の公開期間及びその動画情報に係る第三者による公開期間の延長許可依頼が既に行われている旨が表示される。
【００９１】
前記動画設定ページ２１２において、前記延長設定実行ボタン２３６に対する選択入力操作が行われた場合、図１５に示すような期間延長実行確認ページ２４０が表示される。この図１５に示す期間延長実行確認ページ２４０においては、前記所定の動画情報の公開期間（保存期間）を延長するために、延長期間毎にそれぞれ所定のポイントが必要であることを再度確認する表示が行われると共に、延長期間を指定する期間指定ボックス２４２と、延長中止ボタン２４４と、延長実行ボタン２４６とが、表示される。図１５に示す期間延長実行確認ページ２４０において、前記延長中止ボタン２４４に対する接触入力操作が行われた場合、前記所定の動画情報の公開期間の延長は行われず、例えば図１０に示す動画設定ページ２１２等の所定のウェブページに復帰させられるが、前記期間指定ボックス２４２において延長期間の指定が行われると共に、前記延長実行ボタン２４６に対する接触入力操作が行われた場合、その設定の主体である前記第三者に属するポイントが、各延長期間に対応する分だけ消費されると共に、前記所定の動画情報の公開期間が前記延長期間分だけ延長される。
【００９２】
前記動画設定ページ２１２において、前記延長許可依頼ボタン２３８に対する選択入力操作が行われた場合、図１６に示すような延長依頼送信確認ページ２４８が表示される。この図１６に示す延長依頼送信確認ページ２４８においては、依頼中止ボタン２５０と、依頼実行ボタン２５２とが、表示される。図１６に示す延長依頼送信確認ページ２４８において、前記依頼中止ボタン２５０に対する接触入力操作が行われた場合、前記所定の動画情報に係る第三者による公開期間の延長許可依頼は行われず、例えば図１０に示す動画設定ページ２１２等の所定のウェブページに復帰させられるが、前記依頼実行ボタン２５２に対する接触入力操作が行われた場合、前記所定の動画情報の投稿者に対して、その動画情報に係る第三者による公開期間の延長許可を依頼する通知が送信される。このようにして、前記第三者の操作により公開期間の延長許可を依頼する通知が送信された場合、例えば、前記所定の動画情報の投稿者に係る図９に示すマイ動画ページ２００の通知欄２１０に、前記動画情報に対して第三者から公開期間の延長許可依頼があった旨が表示される。そして、その延長許可依頼を受けて前記投稿者によりその動画情報に係る第三者による公開期間の延長が許可された場合、前記延長許可依頼を行った利用者（依頼者）に対して、その旨の通知が送信され、図示しないその利用者のマイページにその旨の表示が行われる。
【００９３】
前記公開期間延長制御手段１７２による第三者を主体とする動画情報の公開期間延長に関して、好適には、前記動画情報の投稿者ではない第三者に属する所定のポイントの消費を条件とする、その動画情報の公開期間の延長に関して、その延長に係る期間の長さに応じて前記所定のポイントが異なる。例えば、前記動画情報の投稿者を主体とする公開期間の延長と同様に、公開期間を１ヶ月延長させるために１００ポイントの消費を条件とし、公開期間を３ヶ月延長させるために２００ポイントの消費を条件とし、公開期間を６ヶ月延長させるために３００ポイントの消費を条件とし、公開期間を１２ヶ月延長させるために４００ポイントの消費を条件とする。或いは、前記動画情報の投稿者を主体とする公開期間の延長とは、各延長に係る期間の長さに応じて必要とされるポイントが異なる（例えば、投稿者の設定において条件とされるポイントよりも多いポイントが条件として要求される）ものであってもよい。前記公開期間延長制御手段１７２は、好適には、前記動画データベース６６に記憶された動画情報の公開期間が満了した後は、その動画情報の投稿者ではない第三者に属する所定のポイントの消費を条件とする公開期間の延長を受け付けない。
【００９４】
前記公開期間延長制御手段１７２は、好適には、前記動画データベース６６に記憶された動画情報に関して、その動画情報の投稿者ではない複数の第三者により、その動画情報の公開期間を延長するためにそれぞれ前記所定のポイントが消費された場合には、そのポイントの合計に対応する期間分前記動画情報の公開期間を延長する。すなわち、所定の動画情報の公開期間を延長するために複数の第三者によりポイントが消費された場合、そのポイントに応じた延長期間は累積（加算）される。例えば、公開期間が２０１２年９月３０日までの動画情報に対して、投稿者ではない第三者としてのユーザＡが１００ポイントを消費して１ヶ月間の延長を行った後、同様に第三者としてのユーザＢが２００ポイントを消費して３ヶ月間の延長を行った場合、合計４ヶ月の延長となり、対象となる動画情報の公開期間は２０１３年１月３０日まで延長される。
【００９５】
前記動画データベース６６に記憶された動画情報において、好適には、公開期間の上限値が予め定められている。すなわち、前記公開期間延長制御手段１７２による公開期間の延長には、上限値としての延長限度（例えば、１２ヶ月間）が予め定められている。この延長限度は、好適には、対象となる動画情報の投稿者及び第三者に共通の限度であるが、第三者には斯かる延長限度を定める一方、投稿者による公開期間の延長は無制限とするものであってもよい。すなわち、好適には、前記動画情報の投稿者ではない第三者に属する所定のポイントの消費を条件とする、その動画情報の公開期間の延長には、累計延長期間の上限値が予め定められている。
【００９６】
前記公開期間延長制御手段１７２は、好適には、前記動画データベース６６に記憶された動画情報に関して、その動画情報の投稿者ではない複数の第三者により、その動画情報の公開期間を延長するためにそれぞれ前記所定のポイントが消費された場合において、そのポイントの合計に対応する期間を現在の前記動画情報の公開期間に加えた期間が、前記延長限度を超過する場合には、その超過する期間に対応するポイントを前記第三者に償還する。例えば、公開期間が２０１２年９月３０日までの動画情報に対して、投稿者ではない第三者としてのユーザＣが２００ポイントを消費して３ヶ月間を延長し、同じく第三者としてのユーザＤが３００ポイントを消費して６ヶ月間を延長して計９ヶ月間の延長となった後、更に同じく第三者としてのユーザＥが３００ポイントを消費して６ヶ月間延長した場合、計１５ヶ月間の延長となるので、延長限度（最大延長期間）が１２ヶ月間である場合にはその延長限度を超過する。この場合、延長限度との差分３ヶ月に対応するポイント（３００×３／６＝１５０ポイント）がユーザＥに償還される。なお、ユーザＥが延長期間を設定する段階で、延長限度を超過する延長期間は選択できないようにしてもよい。
【００９７】
図５に示すように、前記ＳＮＳ情報表示制御手段１５２は、好適には、依頼者表示制御手段１７４を備えている。この依頼者表示制御手段１７４は、前記動画データベース６６に記憶された動画情報それぞれに関して、その動画情報を前記親動画情報として設定することの許可を求める依頼を行った前記第三者を一覧表示させる。また、前記依頼者表示制御手段１７４は、好適には、前記動画データベース６６に記憶された動画情報それぞれに関して、その動画情報の公開期間を延長することの許可を求める依頼を行った前記第三者を一覧表示させる。
【００９８】
図５に示すように、前記ＳＮＳ情報表示制御手段１５２は、好適には、設定者表示制御手段１７６を備えている。この設定者表示制御手段１７６は、前記動画データベース６６に記憶された動画情報それぞれに関して、その動画情報を前記親動画情報として設定するために前記所定のポイントが消費された前記第三者を一覧表示させる。また、前記設定者表示制御手段１７６は、好適には、前記動画データベース６６に記憶された動画情報それぞれに関して、その動画情報の公開期間を延長するために前記所定のポイントが消費された前記第三者を一覧表示させる。
【００９９】
図１７は、前記ＳＮＳデータベース６８に記憶された所定の利用者に関して、その依頼者が投稿した動画情報に対する各種設定及び依頼等を一覧表示させる設定／依頼一覧ページ２５４の一例を示す図である。この図１７に示す設定／依頼一覧ページ２５４においては、前記利用者が投稿した動画情報に関して、その動画情報を前記親動画情報として設定することの許可を求める第三者からの依頼である配信許可依頼２５６と、前記利用者が投稿した動画情報の公開期間を延長することの許可を求める第三者からの依頼である延長許可依頼２５８と、前記利用者が投稿した動画情報を第三者が所定のポイントを消費して前記親動画情報として設定した旨の通知である配信設定通知２６０と、前記利用者が投稿した動画情報に関して第三者が所定のポイントを消費してその公開期間を延長した旨の通知である延長設定通知２６２と、前記利用者が親動画情報として設定することの許可を求める依頼を行っていた第三者が斯かる設定を許可した旨の通知である設定許可通知２６４と、前記利用者が公開期間を延長することの許可を求める依頼を行っていた第三者が斯かる延長を許可した旨の通知である延長許可通知２６６と、第三者が投稿した動画情報の公開範囲として前記利用者が指定（指名公開）された旨の通知である指名公開通知２６８とが、図１７に示すように１のウェブページに一覧表示される。
【０１００】
図１８は、前記動画データベース６６に記憶された所定の動画情報に関して、その動画情報の公開範囲及びその動画情報に対する各種設定を行った設定者等を一覧表示させる公開範囲／設定者一覧ページ２７０の一例を示す図である。この図１８に示す公開範囲／設定者一覧ページ２７０においては、前記所定の動画情報に関して、その動画情報の公開範囲に含まれる単数乃至複数の利用者として設定された指名公開ユーザ２７２と、前記所定の動画情報の公開期間を延長するために前記所定のポイントが消費された単数乃至複数の利用者（第三者）である延長設定者２７４と、前記所定の動画情報を前記親動画情報として設定するために前記所定のポイントが消費された利用者（第三者）である配信設定者２７６とが、図１８に示すように１のウェブページに一覧表示される。また、この図１８に示す公開範囲／設定者一覧ページ２７０に、前記所定の動画情報を前記親動画情報として設定することの許可を求める第三者からの依頼、及び前記所定の動画情報の公開期間を延長することの許可を求める第三者からの依頼等が一覧表示されるものであってもよい。
【０１０１】
図５に示すように、前記ＳＮＳ情報表示制御手段１５２は、好適には、設定候補表示制御手段１７８を備えている。この設定候補表示制御手段１７８は、前記動画情報配信システム１０の各利用者に対して、前記動画データベース６６に記憶された動画情報のうち、前記親動画情報として設定されていない動画情報であって前記利用者にお薦めの動画情報を、その利用者を前記第三者とする前記親動画情報としての設定候補として表示させる。また、前記設定候補表示制御手段１７８は、好適には、前記動画情報配信システム１０の各利用者に対して、前記動画データベース６６に記憶された動画情報のうち、公開期間の残りが所定期間未満となった動画情報であって前記利用者にお薦めの動画情報を、その利用者を前記第三者とする公開期間の延長候補として表示させる。例えば、前記ＳＮＳデータベース６８において前記利用者の十八番曲として登録された演奏曲、選曲履歴において演奏回数が多い演奏曲、及び演奏評価結果が高い演奏曲に対応する動画情報を、その利用者に対する設定候補乃至延長候補として表示させる。
【０１０２】
図１９は、前記ＳＮＳデータベース６８に記憶された所定の利用者に対して、前記親動画情報として設定対象及び公開期間の延長対象となるお薦めの動画情報を表示させるお薦め動画一覧ページ２７８の一例を示す図である。この図１９に示すお薦め動画一覧ページ２７８においては、前記動画データベース６６に記憶された動画情報のうち、前記親動画情報として設定されていない動画情報であって、前記所定の利用者の十八番曲として登録されている等その利用者にお薦めの動画情報の一覧である設定候補リスト２８０と、前記動画データベース６６に記憶された動画情報のうち、公開期間の残りが所定期間未満となった動画情報であって、前記所定の利用者の十八番曲として登録されている等その利用者にお薦めの動画情報の一覧である延長候補リスト２８４とが、図１９に示すように１のウェブページに一覧表示される。また、図１９に示す設定候補リスト２８０における各動画情報に対応して表示された店舗配信設定ボタン２８２に対する接触入力操作が行われた場合、その動画情報に関して前述した図１２に示すような配信設定実行確認ページ２２４が表示される。また、図１９に示す延長候補リスト２８４における各動画情報に対応して表示された公開期間延長ボタン２８６に対する接触入力操作が行われた場合、その動画情報に関して前述した図１５に示すような期間延長実行確認ページ２４０が表示される。
【０１０３】
前記動画配信制御手段１６２、好適には、前記動画データベース６６に記憶された動画情報の投稿者ではない第三者に属する所定のポイントが消費されて、その動画情報の公開期間が延長された場合には、その第三者に対してはその動画情報の公開を行うが、前記第三者以外の利用者に対しては前記動画情報の公開を行わない。換言すれば、対象となる動画情報における延長された公開期間内においては、ポイントを消費してその動画情報の公開期間を延長した前記第三者に対してのみその動画情報の閲覧を許可する。
【０１０４】
図５に示すように、前記ＳＮＳ管理制御手段１５０は、公開範囲設定手段１７３を備えている。この公開範囲設定手段１７３は、前記動画データベース６６に記憶された動画情報に関して、その公開範囲を設定する。すなわち、その動画情報を閲覧可能とする利用者（利用者の範囲）を設定する。例えば、図９に示すマイ動画ページ２００における公開範囲設定欄２０４において、ラジオボタン「みんなに公開」が選択された場合、前記所定の動画情報の公開範囲が、前記ＳＮＳデータベース６８に記憶された全ての利用者に設定される。すなわち、前記所定の動画情報が全利用者に閲覧可能とされ、公開範囲の限定は行われない。ラジオボタン「指名配信」が選択された場合、前記所定の動画情報が所定の利用者に対してのみ公開（指名公開）される。この場合において、前記公開範囲設定欄２０４における指名公開ユーザ選択ボタンに対する選択入力操作が行われると、図２０を用いて後述するように、指名配信の対象となる利用者の選択を行うためのページが表示される。ラジオボタン「公開しない」が選択された場合、前記所定の動画情報は何れの利用者に対しても公開されない。この場合、例えば前記所定の動画情報の投稿者のみがその動画情報を閲覧可能とされる。或いは、第１レベル「全公開（誰であっても閲覧可能）」、第２レベル「知り合い（フレンドのフレンドまで閲覧可能）」、第３レベル「友達（フレンドは閲覧可能）」、第４レベル「自分のみ（利用者のみ閲覧可能）」というように、段階的に閲覧レベルを設定し得るものであってもよい。
【０１０５】
本実施例においては、前記動画データベース６６に記憶された動画情報のうち、前記親動画情報設定手段１７０により前記親動画情報として設定された動画情報に関して、その動画情報を前記共演動画情報の組み合わせに係る親として選択可能な利用者の範囲を、その動画情報（親動画情報）の投稿者が指定できる。すなわち、自分の投稿した動画情報を、前記共演動画情報の親として用いることができる利用者の範囲を指定できる。斯かる指定は、好適には、前記ＳＮＳデータベース６８にプレミアム会員として登録された利用者にのみ許可される。すなわち、好適には、前記親動画情報に関して、前記プレミアム会員であるその親動画情報の投稿者は、その親動画情報を前記共演動画情報の組み合わせに係る親として選択可能な利用者の範囲を指定できるものであるが、前記プレミアム会員ではない前記親動画情報の投稿者は、その親動画情報を前記共演動画情報の組み合わせに係る親として選択可能な利用者の範囲を指定できない。また、好適には、前記親動画情報に関して、その親動画情報を前記共演動画情報の組み合わせに係る親として選択可能な利用者として指定された場合、その利用者に対してその旨の通知が行われる。
【０１０６】
図２０は、図９に示す前記店舗配信設定欄２０６或いは前記公開範囲設定欄２０４における指名公開ユーザ選択ボタンに対する選択入力操作が行われた場合において表示される公開ユーザ指定ページ２８８の一例を示す図である。この図２０に示す公開ユーザ指定ページ２８８においては、ユーザ検索欄２９０と、公開ユーザ候補表示欄２９２と、公開ユーザ表示欄２９４とが、表示されるようになっている。前記ユーザ検索欄２９０において、ユーザ検索に係る各種条件が選択された後、ユーザ表示ボタンに対する選択入力操作が行われることで、前記ＳＮＳデータベース６８から前記条件に適合する利用者が検索され、前記ユーザ候補表示欄２９２に一覧表示される。前記ユーザ検索に係る条件としては、投稿者のフレンドとして登録されている利用者、前記共演動画情報に係る親動画情報が指名公開している利用者、前記共演動画情報に含まれる動画情報の投稿者のフレンドとして登録されている利用者等の条件に加えて、利用者のニックネーム及び性別等が定められるようになっている。また、好適には、公開先の指名候補として検索される利用者は、選曲履歴における選曲回数が多い利用者や、演奏評価の評価結果の平均が高い利用者が優先的に検索されるものであってもよい。前記ユーザ候補表示欄２９２に一覧表示された利用者のうち何れかの利用者が選択された状態で、仮登録ボタン２９６に対する接触入力操作が行われると、その利用者が前記公開ユーザ表示欄２９４に追加される。また、その公開ユーザ表示欄２９４に一覧表示された利用者のうち何れかの利用者が選択された状態で、キャンセルボタン２９８に対する接触入力操作が行われると、その利用者が前記公開ユーザ表示欄２９４から削除される。そして、確定ボタン３００に対する接触入力操作が行われることで、公開ユーザ表示欄２９４に一覧表示された利用者が、前記対象となる動画情報の公開範囲に含まれる利用者として登録される。なお、本実施例においては、前記動画データベース６６に記憶された動画情報の公開範囲、親動画情報として設定された動画情報の配信範囲（共演動画の親動画情報として利用できる利用者の範囲）、及び共演動画情報の公開範囲の設定を区別することなく図２０において説明しているが、それぞれ異なるウェブページにおいて異なる態様で各範囲の設定が行われるものであっても当然に構わない。
【０１０７】
前記公開範囲設定手段１７３は、好適には、前記共演動画編集制御手段１６８により編集されて前記動画データベース６６に記憶された共演動画情報に関して、前記通信回線２０を介してその共演動画情報を閲覧可能な利用者の範囲を、その共演動画情報の投稿者により指定可能とする。すなわち、前記動画データベース６６に投稿された共演動画情報に係る公開範囲を、その共演動画情報の投稿者により設定可能とする。ここで、前記共演動画情報の投稿者は、前記親動画情報を閲覧しつつ記録された動画情報に対応する利用者であり、換言すれば、前記共演動画情報の組み合わせに係る子としての動画情報の記録者である。前記共演動画情報に係る公開範囲の指定は、好適には、前記親動画情報に係る指定と同様に、前記ＳＮＳデータベース６８にプレミアム会員として登録された利用者にのみ許可される。
【０１０８】
また、前記公開範囲設定手段１７３は、好適には、前記動画データベース６６に記憶された前記親動画情報の投稿者に属する所定のポイントの消費を条件として、その親動画情報を前記共演動画情報の組み合わせに係る親として選択可能な利用者の範囲を指定可能とする。この公開範囲の指定を可能とするためのポイントは、公開先として指定する利用者の人数によらず一定のポイント（例えば、１００ポイント）であってもよいが、好適には、前記親動画情報を前記共演動画情報の組み合わせに係る親として選択可能として指定する利用者の人数が多いほど、その範囲の指定を行うための条件として多くのポイントの消費が要求される。例えば、前記親動画情報を前記共演動画情報の組み合わせに係る親として選択可能として指定する利用者の人数を１人指定するために所定のポイント（例えば、１０ポイント）が要求される。
【０１０９】
また、前記公開範囲設定手段１７３は、好適には、前記共演動画編集制御手段１６８により編集されて前記動画データベース６６に記憶された共演動画情報に関して、その共演動画情報の親動画情報に関して指定された、その親動画情報を前記共演動画情報の組み合わせに係る親として選択可能な利用者の範囲に基づいて、前記共演動画情報の公開範囲を設定する。好適には、前記共演動画編集制御手段１６８により編集されて前記動画データベース６６に記憶された共演動画情報に関して、前記公開範囲設定手段１７３により設定される前記通信回線２０を介してその共演動画情報を閲覧可能な利用者の範囲は、その共演動画情報の親動画情報に関して指定された、その親動画情報を前記共演動画情報の組み合わせに係る親として選択可能な利用者の範囲と等しい。
【０１１０】
また、前記公開範囲設定手段１７３は、好適には、前記共演動画編集制御手段１６８により編集されて前記動画データベース６６に記憶された共演動画情報に関して、前記通信回線２０を介してその共演動画情報を閲覧可能な利用者の範囲として、その共演動画情報の親動画情報に関して指定された、その親動画情報を前記共演動画情報の組み合わせに係る親として選択可能な利用者の範囲を逸脱する範囲が指定された場合、その旨の警告を表示させる。
【０１１１】
また、前記公開範囲設定手段１７３は、好適には、前記共演動画編集制御手段１６８により編集されて前記動画データベース６６に記憶された共演動画情報に関して、前記通信回線２０を介してその共演動画情報を閲覧可能な利用者の範囲として、その共演動画情報の親動画情報に関して指定された、その親動画情報を前記共演動画情報の組み合わせに係る親として選択可能な利用者の範囲を逸脱する利用者が指定された場合、その範囲を逸脱する利用者に対しては、前記共演動画情報における前記親動画情報の一部乃至全部が他の画像乃至動画に置換された共演動画情報を閲覧可能とする。図２１は、前記動画配信制御手段１６４により配信される共演動画情報の一例を示す図であり、図８と共通する部分については同一の符号を付してその説明を省略している。この図２１に示すように、前記動画配信制御手段１６４は、前記共演動画情報の公開範囲として、前記親動画情報を前記共演動画情報の組み合わせに係る親として選択可能な利用者の範囲を逸脱する利用者が指定された場合、好適には、前記共演動画情報における前記親動画情報の映像を、その親動画情報の投稿者に対応するアバタを含む映像３０４に差し替えた共演映像３０２を、前記範囲を逸脱する利用者に対して配信する。この共演映像３０２に対応する共演動画において、音声に関しては前記親動画情報のものがそのまま出力される。また、前記共演映像１８６における親動画情報に対応する第１の演奏映像１８０における利用者の顔部分が解析され、その顔部分のみが隠されるように映像効果が施される等の態様も考えられる。
【０１１２】
図２２は、前記サーバ装置１２のＣＰＵ５０によるログイン認証制御の要部について説明するフローチャートであり、所定の周期で繰り返し実行されるものである。
【０１１３】
先ず、ステップ（以下、ステップを省略する）ＳＡ１において、前記ＰＣ１４、携帯電話機１６、或いはカラオケ装置３６等の通信端末装置からログイン情報すなわちユーザＩＤ及びログインパスワードの入力があったか否かが判断される。このＳＡ１の判断が否定される場合には、それをもって本ルーチンが終了させられるが、ＳＡ１の判断が肯定される場合には、ＳＡ２において、ユーザＩＤ及びログインパスワードの入力が受け付けられる。次に、ＳＡ３において、前記ＳＮＳデータベース６８に記憶された情報が照会され、入力されたユーザＩＤ及びログインパスワードが正しいか否かが判断される。このＳＡ３の判断が肯定される場合には、ＳＡ４において、前記ユーザＩＤ及びパスワードの入力に係る利用者が前記ＳＮＳに正常にログインされた後、本ルーチンが終了させられるが、ＳＡ３の判断が否定される場合には、ＳＡ５において、エラーである旨が前記通信端末装置に返信された後、それをもって本ルーチンが終了させられる。
【０１１４】
図２３は、前記サーバ装置１２のＣＰＵ５０によるプレミアム会員登録制御の要部について説明するフローチャートであり、所定の周期で繰り返し実行されるものである。
【０１１５】
先ず、ＳＢ１において、前記ＰＣ１４、携帯電話機１６、或いはカラオケ装置３６等の通信端末装置から所定の利用者をプレミアム会員として登録する要求があったか否かが判断される。このＳＢ１の判断が否定される場合には、それをもって本ルーチンが終了させられるが、ＳＢ１の判断が肯定される場合には、ＳＢ２において、前記ＳＮＳデータベース６８に記憶された前記要求に係る利用者に属するポイントが所定ポイント消費される。次に、ＳＢ３において、前記要求に係る利用者が前記ＳＮＳデータベース６８においてプレミアム会員として登録された後、本ルーチンが終了させられる。
【０１１６】
図２４は、前記サーバ装置１２のＣＰＵ５０による動画投稿／設定受付制御の要部について説明するフローチャートであり、所定の周期で繰り返し実行されるものである。
【０１１７】
先ず、ＳＣ１において、前記カラオケ装置３６等の通信端末装置から動画情報の投稿があったか否かが判断される。このＳＣ１の判断が否定される場合には、ＳＣ３以下の処理が実行されるが、ＳＣ１の判断が肯定される場合には、ＳＣ２において、投稿された動画情報が投稿者である利用者及び対応する楽曲データ等と関連付けられて前記動画データベース６６に記憶される。次に、ＳＣ３において、前記ＰＣ１４、携帯電話機１６、或いはカラオケ装置３６等の通信端末装置から、前記動画データベース６６に記憶された動画情報に関する設定要求があったか否かが判断される。このＳＣ３の判断が否定される場合には、それをもって本ルーチンが終了させられるが、ＳＣ３の判断が肯定される場合には、ＳＣ４において、前記動画データベース６６に記憶された動画情報に関して、その動画情報の公開範囲の設定、第三者による店舗配信の許可乃至不許可の設定、第三者による公開期間の延長の許可乃至不許可の設定等が行われた後、本ルーチンが終了させられる。
【０１１８】
図２５は、前記サーバ装置１２のＣＰＵ５０によるコラボ動画（共演動画情報）投稿受付制御の要部について説明するフローチャートであり、所定の周期で繰り返し実行されるものである。
【０１１９】
先ず、ＳＤ１において、前記カラオケ装置３６等の通信端末装置から所定の親動画情報の配信要求があったか否かが判断される。このＳＤ１の判断が否定される場合には、ＳＤ２において、親動画情報の配信は行われず、ＳＤ５以下の処理が実行されるが、ＳＤ１の判断が肯定される場合には、ＳＤ３において、前記親動画情報の配信要求者が、その親動画情報を店舗配信設定した設定者であるか否かが判断される。このＳＤ３の判断が否定される場合には、ＳＤ２以下の処理が実行されるが、ＳＤ３の判断が肯定される場合には、ＳＤ４において、前記親動画情報の配信要求元に対してその親動画情報の配信が行われる。次に、ＳＤ５において、前記カラオケ装置３６等の通信端末装置からコラボ動画すなわち共演動画情報の投稿があったか否かが判断される。このＳＤ５の判断が否定される場合には、ＳＤ８以下の処理が実行されるが、ＳＤ５の判断が肯定される場合には、ＳＤ６において、投稿された複数の動画情報を組み合わせて共演動画情報が作成される。次に、ＳＤ７において、ＳＤ６にて作成された共演動画情報が、各動画情報の投稿者のユーザＩＤ及び共通の楽曲データ等と関連付けられて前記動画データベース６６に記憶される。次に、ＳＤ８において、前記ＰＣ１４、携帯電話機１６、或いはカラオケ装置３６等の通信端末装置から、前記動画データベース６６に記憶された共演動画情報に関する設定要求があったか否かが判断される。このＳＤ８の判断が否定される場合には、それをもって本ルーチンが終了させられるが、ＳＤ８の判断が肯定される場合には、ＳＤ９において、前記動画データベース６６に記憶された共演動画情報の公開範囲が設定される。次に、ＳＤ１０において、ＳＤ９にて設定された共演動画情報を閲覧可能な利用者の範囲が、その共演動画情報の親動画情報に関して指定された、その親動画情報を前記共演動画情報の組み合わせに係る親として選択可能な利用者の範囲を逸脱する範囲であったか否かが判断される。このＳＤ１０の判断が否定される場合には、それをもって本ルーチンが終了させられるが、ＳＤ１０の判断が肯定される場合には、ＳＤ１１において、ＳＤ９にて設定された共演動画情報を閲覧可能な利用者の範囲が、その共演動画情報の親動画情報に関して指定された、その親動画情報を前記共演動画情報の組み合わせに係る親として選択可能な利用者の範囲を逸脱する範囲である旨の警告が表示された後、本ルーチンが終了させられる。
【０１２０】
図２６は、前記サーバ装置１２のＣＰＵ５０による店舗配信（親動画情報）設定制御の要部について説明するフローチャートであり、所定の周期で繰り返し実行されるものである。
【０１２１】
先ず、ＳＥ１において、前記ＰＣ１４、携帯電話機１６、或いはカラオケ装置３６等の通信端末装置から、前記動画データベース６６に記憶された所定の動画情報に関して、その動画情報の投稿者による店舗配信設定の要求があったか否かが判断される。このＳＥ１の判断が否定される場合には、ＳＥ５以下の処理が実行されるが、ＳＥ１の判断が肯定される場合には、ＳＥ２において、前記動画情報の投稿者が、前記ＳＮＳデータベース６８にプレミアム会員として登録されているか否かが判断される。このＳＥ２の判断が肯定される場合には、ＳＥ３において、前記要求に係る動画情報が前記動画データベース６６において店舗配信設定すなわち前記親動画情報として設定された後、ＳＥ５以下の処理が実行されるが、ＳＥ２の判断が否定される場合には、ＳＥ４において、前記ＳＮＳデータベース６８に記憶された前記動画情報の投稿者に属するポイントが所定ポイント消費され、前記要求に係る動画情報が前記動画データベース６６において店舗配信設定すなわち前記親動画情報として設定された後、ＳＥ５において、前記動画データベース６６に親動画情報として設定された動画情報に関して指名公開すなわちその動画情報を共演動画情報の親として利用することができる利用者の範囲設定が行われるか否かが判断される。このＳＥ５の判断が否定される場合には、ＳＥ７以下の処理が実行されるが、ＳＥ５の判断が肯定される場合には、ＳＥ６において、前記親動画情報を前記共演動画情報の組み合わせに係る親として選択可能な利用者の範囲が設定され、その範囲に含まれる利用者に対してその旨の通知が送信された後、ＳＥ７において、前記ＰＣ１４、携帯電話機１６、或いはカラオケ装置３６等の通信端末装置から、前記動画データベース６６に記憶された所定の動画情報に関して、その動画情報の投稿者ではない第三者による店舗配信設定の要求があったか否かが判断される。このＳＥ７の判断が否定される場合には、それをもって本ルーチンが終了させられるが、ＳＥ７の判断が肯定される場合には、ＳＥ８において、前記店舗配信設定要求に係る第三者が、前記ＳＮＳデータベース６８にプレミアム会員として登録されているか否かが判断される。このＳＥ８の判断が否定される場合には、それをもって本ルーチンが終了させられるが、ＳＥ８の判断が肯定される場合には、ＳＥ９において、前記ＳＮＳデータベース６８に記憶された前記第三者に属するポイントが所定ポイント消費され、前記要求に係る動画情報が前記動画データベース６６において店舗配信設定すなわち前記親動画情報として設定される。次に、ＳＥ１０において、前記動画情報の投稿者に対して、その動画情報が第三者のポイント消費により店舗配信設定された旨の通知が送信された後、本ルーチンが終了させられる。
【０１２２】
図２７は、前記サーバ装置１２のＣＰＵ５０による店舗配信依頼制御の要部について説明するフローチャートであり、所定の周期で繰り返し実行されるものである。
【０１２３】
先ず、ＳＦ１において、前記ＰＣ１４、携帯電話機１６、或いはカラオケ装置３６等の通信端末装置から、前記動画データベース６６に記憶された所定の動画情報に関して、その動画情報の投稿者ではない第三者による店舗配信設定の許可依頼があったか否かが判断される。このＳＦ１の判断が否定される場合には、ＳＦ３以下の処理が実行されるが、ＳＦ１の判断が肯定される場合には、ＳＦ２において、前記動画情報の投稿者に対して、第三者からその動画情報に係る店舗配信設定の許可依頼があった旨の通知が送信される。次に、ＳＦ３において、ＳＦ２にて店舗配信設定の許可依頼があった動画情報に関して、その動画情報の投稿者により、第三者による店舗配信設定が許可されたか否かが判断される。このＳＦ３の判断が否定される場合には、それをもって本ルーチンが終了させられるが、ＳＦ３の判断が肯定される場合には、ＳＦ４において、ＳＦ１に係る店舗配信設定の許可依頼を行った依頼者（第三者）に対して、その許可依頼に係る動画情報に関して、利用者により第三者による店舗配信設定が許可された旨の通知が送信された後、本ルーチンが終了させられる。
【０１２４】
図２８は、前記サーバ装置１２のＣＰＵ５０による公開期間延長制御の要部について説明するフローチャートであり、所定の周期で繰り返し実行されるものである。
【０１２５】
先ず、ＳＧ１において、前記ＰＣ１４、携帯電話機１６、或いはカラオケ装置３６等の通信端末装置から、前記動画データベース６６に記憶された所定の動画情報に関して、その動画情報の投稿者による公開期間の延長要求があったか否かが判断される。このＳＧ１の判断が否定される場合には、ＳＧ３以下の処理が実行されるが、ＳＧ１の判断が肯定される場合には、ＳＧ２において、前記ＳＮＳデータベース６８に記憶された前記動画情報の投稿者に属するポイントが所定ポイント消費され、前記要求に係る動画情報の公開期間がそのポイントに対応する期間だけ延長される。次に、ＳＧ３において、前記ＰＣ１４、携帯電話機１６、或いはカラオケ装置３６等の通信端末装置から、前記動画データベース６６に記憶された所定の動画情報に関して、その動画情報の投稿者ではない第三者による公開期間の延長要求があったか否かが判断される。このＳＧ３の判断が否定される場合には、それをもって本ルーチンが終了させられるが、ＳＧ３の判断が肯定される場合には、ＳＧ４において、前記公開期間の延長要求に係る第三者が、前記ＳＮＳデータベース６８にプレミアム会員として登録されているか否かが判断される。このＳＧ４の判断が否定される場合には、それをもって本ルーチンが終了させられるが、ＳＧ４の判断が肯定される場合には、ＳＧ５において、前記ＳＮＳデータベース６８に記憶された前記第三者に属するポイントが所定ポイント消費され、前記要求に係る動画情報の公開期間がそのポイントに対応する期間だけ延長される。次に、ＳＧ６において、前記動画情報の投稿者に対して、その動画情報の公開期間が第三者のポイント消費により延長された旨の通知が送信される。次に、ＳＧ７において、ＳＧ５にて延長された動画情報に係る累計延長期間が上限値を超過したか否かが判断される。このＳＧ７の判断が否定される場合には、それをもって本ルーチンが終了させられるが、ＳＧ７の判断が肯定される場合には、ＳＧ８において、ＳＧ５にて延長された動画情報に係る累計延長期間が上限値を超過した期間に対応するポイントが前記第三者に償還された後、本ルーチンが終了させられる。
【０１２６】
図２９は、前記サーバ装置１２のＣＰＵ５０による公開期間延長依頼制御の要部について説明するフローチャートであり、所定の周期で繰り返し実行されるものである。
【０１２７】
先ず、ＳＨ１において、前記ＰＣ１４、携帯電話機１６、或いはカラオケ装置３６等の通信端末装置から、前記動画データベース６６に記憶された所定の動画情報に関して、その動画情報の投稿者ではない第三者による公開期間の延長許可依頼があったか否かが判断される。このＳＨ１の判断が否定される場合には、ＳＨ５以下の処理が実行されるが、ＳＨ１の判断が肯定される場合には、ＳＨ２において、前記延長許可依頼に係る動画情報の累計延長期間が上限値を超過しているか、又はその動画情報の公開期間が既に満了しているか否かが判断される。このＳＨ２の判断が肯定される場合には、ＳＨ３において、前記延長許可依頼に係る第三者に対して、前記動画情報の公開期間はこれ以上延長できない旨の表示が行われた後、ＳＨ５以下の処理が実行されるが、ＳＨ２の判断が否定される場合には、ＳＨ４において、前記動画情報の投稿者に対して、第三者からその動画情報に係る公開期間の延長許可依頼があった旨の通知が送信される。次に、ＳＨ５において、ＳＨ４にて公開期間の延長許可依頼があった動画情報に関して、その動画情報の投稿者により、第三者による公開期間の延長が許可されたか否かが判断される。このＳＨ５の判断が否定される場合には、それをもって本ルーチンが終了させられるが、ＳＨ５の判断が肯定される場合には、ＳＨ６において、ＳＨ１に係る公開期間の延長許可依頼を行った依頼者（第三者）に対して、その許可依頼に係る動画情報に関して、利用者により第三者による公開期間の延長が許可された旨の通知が送信された後、本ルーチンが終了させられる。
【０１２８】
図３０は、前記サーバ装置１２のＣＰＵ５０による動画情報配信制御の要部について説明するフローチャートであり、所定の周期で繰り返し実行されるものである。
【０１２９】
先ず、ＳＩ１において、前記ＰＣ１４、携帯電話機１６、或いはカラオケ装置３６等の通信端末装置から、前記動画データベース６６に記憶された所定の動画情報の配信要求があったか否かが判断される。このＳＩ１の判断が否定される場合には、ＳＩ５において、動画情報の配信は実行されず、それをもって本ルーチンが終了させられるが、ＳＩ１の判断が肯定される場合には、ＳＩ２において、前記配信要求に係る動画情報は、現在、延長に係る公開期間において公開されているものであるか否かが判断される。このＳＩ２の判断が否定される場合には、ＳＩ６以下の処理が実行されるが、ＳＩ２の判断が肯定される場合には、ＳＩ３において、前記配信要求を行った利用者は、ポイントの消費によりその配信要求に係る動画情報の公開期間の延長を行った第三者であるか否かが判断される。このＳＩ３の判断が否定される場合には、ＳＩ５以下の処理が実行されるが、ＳＩ３の判断が肯定される場合には、ＳＩ４において、前記配信要求の要求元に対して要求に係る動画情報が配信された後、本ルーチンが終了させられる。
【０１３０】
図３１は、前記サーバ装置１２のＣＰＵ５０による共演動画情報配信制御の要部について説明するフローチャートであり、所定の周期で繰り返し実行されるものである。
【０１３１】
先ず、ＳＪ１において、前記ＰＣ１４、携帯電話機１６、或いはカラオケ装置３６等の通信端末装置から、前記動画データベース６６に記憶された所定の共演動画情報の配信要求があったか否かが判断される。このＳＪ１の判断が否定される場合には、それをもって本ルーチンが終了させられるが、ＳＪ１の判断が肯定される場合には、ＳＪ２において、前記配信要求に係る共演動画情報の親動画情報に関して指定された、その親動画情報を前記共演動画情報の組み合わせに係る親として選択可能な利用者の範囲を逸脱する利用者からの配信要求であるか否かが判断される。このＳＪ２の判断が肯定される場合には、ＳＪ３において、前記配信要求の要求元に対して、要求に係る共演動画情報における前記親動画情報の一部乃至全部が他の画像乃至動画に置換された共演動画情報が配信された後、本ルーチンが終了させられるが、ＳＪ２の判断が否定される場合には、ＳＪ４において、前記配信要求の要求元に対して要求に係る共演動画情報が配信された後、本ルーチンが終了させられる。
【０１３２】
図３２は、前記サーバ装置１２のＣＰＵ５０による各種情報表示制御の要部について説明するフローチャートであり、所定の周期で繰り返し実行されるものである。
【０１３３】
先ず、ＳＫ１において、前記ＰＣ１４、携帯電話機１６、或いはカラオケ装置３６等の通信端末装置から、前記ＳＮＳデータベース６８に記憶された所定の利用者に係るあしながおじさん表示要求があったか否かが判断される。このＳＫ１の判断が否定される場合には、ＳＫ３以下の処理が実行されるが、ＳＫ１の判断が肯定される場合には、ＳＫ２において、前記所定の利用者の投稿した動画情報に関して自己のポイントを消費して店舗配信設定を行った第三者、公開期間の延長設定を行った第三者、店舗配信設定の許可依頼を行った第三者、及び公開期間の延長許可依頼を行った第三者等が一覧表示される。次に、ＳＫ３において、前記ＰＣ１４、携帯電話機１６、或いはカラオケ装置３６等の通信端末装置から、前記ＳＮＳデータベース６８に記憶された所定の利用者に対する店舗配信設定候補乃至公開期間延長候補の表示要求があったか否かが判断される。このＳＫ３の判断が否定される場合には、それをもって本ルーチンが終了させられるが、ＳＫ３の判断が肯定される場合には、ＳＫ４において、前記所定の利用者に対応して前記ＳＮＳデータベース６８に記憶された十八番曲等に応じて、前記動画データベース６６において店舗配信されていない動画情報及び公開期間が残りわずかとなった動画情報等が検索され、その利用者に対する店舗配信設定候補乃至公開期間延長候補として一覧表示された後、本ルーチンが終了させられる。
【０１３４】
以上の制御において、ＳＡ１〜ＳＡ５、ＳＢ１〜ＳＢ３、ＳＣ４、ＳＤ９、ＳＤ１１、ＳＥ１〜ＳＥ１０、ＳＦ１〜ＳＦ４、ＳＧ１〜ＳＧ８、及びＳＨ１〜ＳＨ６が前記ＳＮＳ管理制御手段１５０及び前記ＳＮＳ情報表示制御手段１５２の動作に、ＳＢ１〜ＳＢ３が前記ＳＮＳ管理制御手段（プレミアム会員登録手段）１５０の動作に、ＳＣ１〜ＳＣ４及びＳＤ１〜ＳＤ１１が前記投稿受付制御手段１５８の動作に、ＳＩ１〜ＳＩ５及びＳＪ１〜ＳＪ４が前記動画配信制御手段１６２の動作に、ＳＤ６及びＳＤ７が前記共演動画編集制御手段１６８の動作に、ＳＥ１〜ＳＥ１０及びＳＦ１〜ＳＦ４が前記親動画情報設定手段１７０の動作に、ＳＧ１〜ＳＧ８及びＳＨ１〜ＳＨ６が前記公開期間延長制御手段１７２の動作に、ＳＣ４及びＳＤ９〜ＳＤ１１が前記公開範囲設定手段１７３の動作に、ＳＫ２が前記依頼者表示制御手段１７４及び前記設定者表示制御手段１７６の動作に、ＳＫ４が前記設定候補表示制御手段１７８の動作に、それぞれ対応する。
【０１３５】
このように、本実施例によれば、前記カラオケ装置３６等の通信端末装置から投稿された動画情報を記憶する動画データベース６６と、前記通信回線２０を介して前記カラオケ装置３６等の通信端末装置から、予め定められた複数の楽曲データの何れかに対応する動画情報の投稿を受け付け、その投稿された動画情報を対応する楽曲データと関連付けて前記動画データベース６６に記憶させる投稿受付制御手段１５８（ＳＣ１〜ＳＣ４及びＳＤ１〜ＳＤ１１）と、その投稿受付制御手段１５８により受け付けられる、共通の楽曲データに関連付けられた複数の動画情報を組み合わせて共演動画情報を編集し、その編集された共演動画情報をその共通の楽曲データと関連付けて前記動画データベース６６に記憶させる共演動画編集制御手段１６８（ＳＤ６及びＳＤ７）と、前記動画データベース６６に記憶された動画情報の投稿者に属する所定のポイントの消費を条件として、その動画情報を前記共演動画情報の組み合わせに係る親として選択可能な親動画情報として設定する親動画情報設定手段１７０（ＳＥ１〜ＳＥ１０及びＳＦ１〜ＳＦ４）とを、備え、前記親動画情報設定手段１７０は、前記動画データベース６６に記憶された動画情報の投稿者ではない第三者に属する所定のポイントの消費を条件として、その動画情報を前記親動画情報として設定し得るものであることから、動画情報の投稿者ではない第三者のポイントを消費することによってもその動画情報を共演動画情報の組み合わせに係る親として選択可能とすることができ、動画投稿者、第三者双方の利便性を図ることができることに加え、無為に貯め込まれているポイントの有効利用を実現することができる。すなわち、共演動画サービスの利便性を向上させると共にシステムに係るポイントの消費を促進する動画情報配信システム１０を提供することができる。
【０１３６】
また、音声入力装置としてのマイクロフォン１３６及び撮像装置としてのデジタルカメラ１２８を有し、多数の楽曲データのうちから選択される楽曲データに対応する演奏曲を出力させるのに併行して前記マイクロフォン１３６により入力される音声を増幅して出力させるカラオケ装置３６を前記通信端末装置として備え、前記共演動画編集制御手段１６８は、前記カラオケ装置３６により出力される前記親動画情報と、そのカラオケ装置３６によるその親動画情報の出力と併行して前記デジタルカメラ１２８により撮影された映像情報及び前記マイクロフォン１３６により入力された音声情報に対応する動画情報とを、組み合わせて前記共演動画情報を編集するものであり、前記親動画情報設定手段１７０は、前記動画データベース６６に記憶された動画情報それぞれに関して、前記カラオケ装置３６による前記親動画情報としての出力の可否を設定するものであるため、カラオケ装置３６を用いた実用的な共演動画サービスにおいて、その利便性を向上させると共にシステムに係るポイントの消費を促進することができる。
【０１３７】
また、前記動画データベース６６に記憶された動画情報に関して、その動画情報の投稿者ではない第三者に属する所定のポイントの消費を条件として、その動画情報を前記親動画情報として設定することの許可乃至不許可を、前記動画情報の投稿者が設定し得るものであるため、自分の投稿した動画が不本意に前記共演動画情報の組み合わせに係る親として選択可能とされることを好適に防止できる。
【０１３８】
また、前記親動画情報設定手段１７０は、前記動画データベース６６に記憶された、投稿者により前記親動画情報として設定することが不許可と設定された動画情報に対して、その動画情報の投稿者ではない第三者から前記親動画情報として設定することの許可を求める依頼があった場合には、前記投稿者に対してその旨の通知を行うものであるため、自分の投稿した動画を前記共演動画情報の組み合わせに係る親として選択可能とすることを求める第三者が存在することを、投稿者に対して簡便に通知することができる。
【０１３９】
また、前記親動画情報設定手段１７０は、前記動画情報の投稿者ではない第三者からその動画情報を前記親動画情報として設定することの許可を求める依頼があり、前記投稿者に対してその旨の通知を行った場合において、その投稿者が前記動画情報に関して前記第三者による前記親動画情報としての設定を許可した場合には、前記依頼を行った前記第三者に対してその旨の通知を行うものであるため、依頼に係る動画情報に関して投稿者により前記親動画情報として設定することが許可されたことを、その依頼を行った者に対して簡便に通知することができる。
【０１４０】
また、前記動画データベース６６に記憶された、所定の投稿者に係る複数の動画情報それぞれに関して、その動画情報の投稿者ではない第三者に属する所定のポイントの消費を条件としてその動画情報を前記親動画情報として設定することの許可乃至不許可を、前記動画情報の投稿者が設定し得るものであるため、自分の投稿した動画それぞれについて、不本意に前記共演動画情報の組み合わせに係る親として選択可能とされることを好適に防止できる。
【０１４１】
また、前記親動画情報設定手段１７０は、前記動画データベース６６に記憶された動画情報の投稿者ではない第三者に属する所定のポイントが消費されて、その動画情報が前記親動画情報として設定された場合には、その動画情報の投稿者に対してその旨の通知を行うものであるため、自分の投稿した動画が第三者のポイント消費により前記共演動画情報の組み合わせに係る親として選択可能とされたことを、投稿者に対して簡便に通知することができる。
【０１４２】
また、前記動画データベース６６に記憶された動画情報それぞれに関して、その動画情報を前記親動画情報として設定することの許可を求める依頼を行った前記第三者を一覧表示させる依頼者表示制御手段１７４（ＳＫ２）を備えたものであるため、自分の投稿した動画を前記共演動画情報の組み合わせに係る親として選択可能とすることを求める第三者を簡便に確認できる。
【０１４３】
また、前記動画データベース６６に記憶された動画情報それぞれに関して、その動画情報を前記親動画情報として設定するために前記所定のポイントが消費された前記第三者を一覧表示させる設定者表示制御手段１７６（ＳＫ２）を備えたものであるため、自分の投稿した動画を、自己のポイント消費により前記共演動画情報の組み合わせに係る親として選択可能に設定してくれた第三者を簡便に確認できる。
【０１４４】
また、前記動画情報配信システム１０において、利用者に属する所定のポイントの消費を条件としてその利用者をプレミアム会員として登録するプレミアム会員登録手段としてのＳＮＳ管理制御手段１５０（ＳＢ１〜ＳＢ３）を備え、前記親動画情報設定手段１７０は、前記動画データベース６６に記憶された動画情報の投稿者ではない前記プレミアム会員としての第三者に属する所定のポイントの消費を条件として、その動画情報を前記親動画情報として設定し得るものであるが、前記プレミアム会員ではない第三者に属する所定のポイントの消費を条件とした前記動画情報の前記親動画情報としての設定を受け付けないものであるため、第三者のポイント消費による前記親動画情報としての設定の濫用を好適に防止できると共に、システムに係るポイントの消費を更に促進することができる。
【０１４５】
また、前記共演動画編集制御手段１６８は、前記動画データベース６６に記憶された動画情報の投稿者ではない第三者に属する所定のポイントが消費されて、その動画情報が前記親動画情報として設定された場合には、その第三者に対してはその動画情報を前記共演動画情報の組み合わせに係る親として選択可能とするが、前記第三者以外の利用者に対しては前記動画情報を前記共演動画情報の組み合わせに係る親として選択不能とするものであるため、自己のポイント消費により前記共演動画情報の組み合わせに係る親として選択可能に設定してくれた第三者に対してのみ前記動画情報を前記共演動画情報の組み合わせに係る親として選択可能とすることで、システムに係るポイントの消費を更に促進することができる。
【０１４６】
また、前記動画情報配信システム１０の各利用者に対して、前記動画データベース６６に記憶された動画情報のうち、前記親動画情報として設定されていない動画情報であって前記利用者にお薦めの動画情報を、その利用者を前記第三者とする前記親動画情報としての設定候補として表示させる設定候補表示制御手段１７８（ＳＫ４）を備えたものであるため、共演動画サービスの利便性をより向上させると共にシステムに係るポイントの消費を更に促進することができる。
【０１４７】
以上、本発明の好適な実施例を図面に基づいて詳細に説明したが、本発明はこれに限定されるものではなく、更に別の態様においても実施される。
【０１４８】
例えば、前述の実施例においては特に言及していないが、前記動画データベース６６に記憶された動画情報の投稿者ではない第三者のポイント消費によりその動画情報が前記親動画情報として設定された場合、斯かる動画情報の投稿者に対して所定のポイント（例えば、第三者がその動画情報を親動画情報として登録するために費やしたポイントの１０％）が付与されるものであってもよい。このようにすれば、ポイントを稼ぐために共演動画の親動画情報として選んでもらえるような動画情報を撮ろうと各利用者がカラオケ演奏に励み、前記動画情報配信システム１０及びカラオケシステム３０の更なる利用促進が図れるという利点がある。
【０１４９】
また、前記動画データベース６６に記憶された動画情報の投稿者ではない第三者のポイント消費によりその動画情報が前記親動画情報として設定された場合、所定期間内にその動画情報に関して前記親動画情報として設定を行った第三者の人数をカウントし、その人数に応じて前記投稿者の投稿した動画情報を前記親動画情報として設定するために必要なポイントを割引するものであってもよい。例えば、通常、動画情報を前記親動画情報として設定するために１００ポイントの消費が必要であるとすると、１つの動画情報に対して２４時間以内に前記親動画情報としての設定を行った前記第三者が３人いた場合には、１人あたり３３ポイントの消費として余のポイントは各利用者に償還する。このようにすれば、人気のある動画情報に店舗配信設定が集中することで、前記第三者がポイントの払い損となることを好適に抑制することができる。
【０１５０】
その他、一々例示はしないが、本発明はその趣旨を逸脱しない範囲内において種々の変更が加えられて実施されるものである。
【符号の説明】
【０１５１】
１０：動画情報配信システム、１４：パーソナルコンピュータ（通信端末装置）、１６：携帯電話機（通信端末装置）、１８：タブレット端末（通信端末装置）、２０：通信回線、３６：カラオケ装置（通信端末装置）、６６：動画データベース、１２８：デジタルカメラ（撮像装置）、１３６：マイクロフォン（音声入力装置）、１５０：ＳＮＳ管理制御手段（プレミアム会員登録手段）、１５８：投稿受付制御手段、１６２：動画配信制御手段、１６８：共演動画編集制御手段、１７０：親動画情報設定手段、１７４：依頼者表示制御手段、１７６：設定者表示制御手段、１７８：設定候補表示制御手段
【図１】
2014174733.tif 000003
【図２】
2014174733.tif 000004
【図３】
2014174733.tif 000005
【図４】
2014174733.tif 000006
【図５】
2014174733.tif 000007
【図６】
2014174733.tif 000008
【図７】
2014174733.tif 000009
【図８】
2014174733.tif 000010
【図９】
2014174733.tif 000011
【図１０】
2014174733.tif 000012
【図１１】
2014174733.tif 000013
【図１２】
2014174733.tif 000014
【図１３】
2014174733.tif 000015
【図１４】
2014174733.tif 000016
【図１５】
2014174733.tif 000017
【図１６】
2014174733.tif 000018
【図２２】
2014174733.tif 000019
【図２３】
2014174733.tif 000020
【図２４】
2014174733.tif 000021
【図２５】
2014174733.tif 000022
【図２６】
2014174733.tif 000023
【図２７】
2014174733.tif 000024
【図２８】
2014174733.tif 000025
【図２９】
2014174733.tif 000026
【図３０】
2014174733.tif 000027
【図３１】
2014174733.tif 000028
【図３２】
2014174733.tif 000029
【図１７】
2014174733.tif 000030
【図１８】
2014174733.tif 000031
【図１９】
2014174733.tif 000032
【図２０】
2014174733.tif 000033
【図２１】
2014174733.tif 000034